(57)【特許請求の範囲】
【請求項１】
ＬＥＤ照明源、第１検知モジュール、第１処理モジュール、ＬＥＤ照明装置を基礎とする無線メッシュ・ネットワークにおける無線ルーターとの接続用の第１無線通信モジュール、及び前記ＬＥＤ照明装置を基礎とする無線ネットワークにおける少なくとも１つの第２照明装置との接続用の第２無線通信モジュールを含む第１発光ダイオード（ＬＥＤ）照明装置であって、ここで
前記第１無線通信モジュールが前記第１処理モジュールに接続され、
前記第２無線通信モジュールが前記第１無線通信モジュール及び前記第１検知モジュールの両方に接続され、
前記第２無線通信モジュールがマスターライト選択ブロードキャスト・メッセージ（master-light-selecting broadcast message）を受信後、前記第１無線通信モジュールが前記第２無線通信モジュールにより送信される検知リクエストを受信して、前記検知リクエストに基づき前記無線ルーターの信号強度を検知し、
前記第１処理モジュールが、前記第１検知モジュールにより検知される信号強度が前記ＬＥＤ照明装置を基礎とする無線ネットワークにおける複数のＬＥＤ照明装置により検知される信号強度の中で最大値をもつことを検知するとき、前記第１無線通信モジュールが前記無線ルーターとの接続を形成し、及びＬＥＤネットワーク形成リクエスト（LED network-forming request）を前記第２無線通信モジュールに送信し、及び
前記第２無線通信モジュールがマスターライト告知ブロードキャスト・メッセージ（master-light-notifying broadcast message）を前記少なくとも１つの第２ＬＥＤ照明装置に送信し、及び前記少なくとも１つの第２ＬＥＤ照明装置との接続を形成し、ここで、前記マスターライト告知ブロードキャスト・メッセージが前記第１ＬＥＤ照明装置の識別情報を含む、
第１ＬＥＤ照明装置。
【請求項２】
前記第１処理モジュールが開始信号を前記第１無線通信モジュールに送信し、及び
前記第１無線通信モジュールが前記開始信号を受信し、前記開始信号に基づき前記無線ルーターとの接続を形成し、及びＬＥＤネットワーク形成リクエストを前記第２無線通信モジュールに送信する、
請求項１に記載の第１ＬＥＤ照明装置。
【請求項３】
前記第１処理モジュールが第１検知ユニット及び第１比較回路を含む、請求項２に記載の前記第１ＬＥＤ照明装置であって、ここで
前記第２無線通信モジュールが前記第１検知ユニット及び前記第１比較回路と接続され、及び前記第１比較回路が前記第１検知モジュール及び前記第１無線通信モジュールに接続され、
前記第２無線通信モジュールがマスターライト選択ブロードキャスト・メッセージを受信するとき、前記第１検知ユニットが、前記第１ＬＥＤ照明装置が仮マスターライトであるか否かを決定し、
もし前記第１ＬＥＤ照明装置が前記仮マスターライトなら、前記第１検知ユニットが仮マスターライト開始信号を前記第２無線通信モジュールに送信し、
前記第２無線通信モジュールが、前記第１ＬＥＤ照明装置の識別情報を含む仮マスターライトブロードキャスト・メッセージを前記仮マスターライト開始信号に基づき前記少なくとも１つの第２ＬＥＤ照明装置に送信し、前記少なくとも１つの第２ＬＥＤ照明装置により検知及び送信される前記無線ルーターの信号強度を受信し、及び前記少なくとも１つの第２ＬＥＤ照明装置により検知及び送信される前記無線ルーターの信号強度を前記第１比較回路に送信し、
前記第１比較回路が、前記少なくとも１つの第２ＬＥＤ照明装置により送信される前記信号強度を、前記第１検知モジュールにより検知される信号強度と比較し、
もし前記第１検知モジュールにより検知される信号強度が比較されている全ての信号強度の中で最大値をもつなら、前記第１比較回路が前記開始信号を前記第１無線通信モジュールに送信する、
第１ＬＥＤ照明装置。
【請求項４】
前記第１処理モジュールが、さらに前記第１比較回路に接続される第１メモリーを含む、請求項３に記載の前記第１ＬＥＤ照明装置であって、ここで
前記第１メモリーが、前記マスターライトの選択過程の間に、前記複数のＬＥＤ照明装置により検知され、及び前記第１ＬＥＤ照明装置により取得される前記無線ルーターの信号強度を保存するように構成される、
第１ＬＥＤ照明装置。
【請求項５】
前記第１処理モジュールが、さらに、前記第２無線通信モジュールに接続される第２比較回路、前記第１無線通信モジュール、及び前記第１メモリーを含む、請求項４に記載の第１ＬＥＤ照明装置であって、ここで
前記第２無線通信モジュールがマスターライト選択ブロードキャスト・メッセージを受信後、前記第１検知ユニットが、前記第１ＬＥＤ照明装置が前記仮マスターライトであるか否かを決定し、
もし前記第１ＬＥＤ照明装置が前記仮マスターライトでないなら、前記第１検知ユニットが仮マスターライト取得信号を前記第２無線通信モジュールに送信し、
前記第２無線通信モジュールが前記仮マスターライト取得信号を受信し、前記仮マスターライト取得信号に基づき前記第１検知モジュールにより検知される信号強度を取得し、
前記第２無線通信モジュールが第２ＬＥＤ照明装置の識別情報を含む仮マスターライト告知ブロードキャスト・メッセージを受信するとき、前記第２無線通信モジュールが前記識別情報に基づき前記第１検知モジュールにより検知される信号強度を前記第２ＬＥＤ照明装置に送信し、前記第２ＬＥＤ照明装置により送信される前記マスターライトの識別情報を含むマスターライト告知ブロードキャスト・メッセージを受信し、及び前記マスターライトの識別情報を前記第２比較回路に送信し、及び
前記第２比較回路が、前記マスターライトの識別情報は前記第１メモリーに保存される前記第１ＬＥＤ照明装置の識別情報と同一であると決定するなら、前記第２比較回路が前記開始信号を前記第１無線通信モジュールに送信する、
第１ＬＥＤ照明装置。
【請求項６】
前記第１検知ユニットがタイマー及びフリップ−フロップ回路を含む、請求項３に記載の第１ＬＥＤ照明装置であって、ここで
ＬＥＤ照明装置が作動時間を開始するなら、前記タイマーが起動信号を前記フリップ−フロップ回路に送信するように、前記タイマーが、前記第１ＬＥＤ照明装置に対応する仮マスターライト作動スケジュールを設定し、及び
前記フリップ−フロップ回路が前記起動信号を受信し、インジケータライトの点滅又は前記インジケータライトの色彩変更を制御することにより前記第１ＬＥＤ照明装置が前記仮マスターライトであるか否かを決定する、
第１ＬＥＤ照明装置。
【請求項７】
前記第１検知ユニットが第２メモリー及び第３比較回路を含む、請求項３に記載の第１ＬＥＤ照明装置であって、ここで
前記第３比較回路が前記第２メモリー及び前記第２無線通信モジュールに接続され、
前記第２メモリーが、前記ＬＥＤ照明装置を基礎とする無線ネットワークにおける前記複数のＬＥＤ照明装置のメディア・アクセス制御（ＭＡＣ）アドレスを保存するように構成され、及び
前記第３比較回路が、前記第１ＬＥＤ照明装置のＭＡＣアドレスが最大値をもつか否かを検知するために前記複数のＬＥＤ照明装置のＭＡＣアドレスを比較し、及び前記第３比較回路が、前記第１ＬＥＤ照明装置のＭＡＣアドレスが最大値をもつなら、前記第１ＬＥＤ照明装置は前記仮マスターライトであると決定する、
第１ＬＥＤ照明装置。
【請求項８】
前記第２無線通信モジュールがマスターライト選択ブロードキャスト・メッセージを参加告知ブロードキャスト・メッセージ（joining-notifying broadcast message）に基づき前記ＬＥＤ照明を基礎とする無線ネットワークにおける前記少なくとも１つの第２ＬＥＤ照明装置に送信するように、前記第２無線通信モジュールが、前記ＬＥＤ照明装置を基礎とする無線ネットワークに参加する第２ＬＥＤ照明装置により送信される前記参加告知ブロードキャスト・メッセージを受信する、
請求項２に記載の第１ＬＥＤ照明装置。
【請求項９】
さらに、
前記第１無線通信モジュール及び前記第２無線通信モジュールに接続される機能不全追跡モジュールをさらに含む、請求項１に記載の第１ＬＥＤ照明装置であって、ここで
前記第１無線通信モジュールが、前記無線ルーターに接続された後、予め設定される間隔内に第１検知リクエストを前記無線ルーターに送信し、及び前記無線ルーターにより送信される第１フィードバック信号を受信し、
前記機能不全追跡モジュールが、前記第１無線通信モジュールが前記予め設定された間隔内に前記第１検知リクエストを送信したか否か、又は前記第１無線通信モジュールが前記無線ルーターにより送信される前記第１フィードバック信号を受信したか否かを追跡し、
もし、前記機能不全追跡モジュールが、前記第１無線通信モジュールが前記予め設定された間隔内に前記第１検知リクエストを送信しなかったこと、又は前記第１無線通信モジュールが前記無線ルーターにより送信される前記第１フィードバック信号を受信しなかったことを検知するなら、前記機能不全追跡モジュールは第１マスターライト選択起動信号を前記第２無線通信モジュールに送信し、
前記第２無線通信モジュールが前記第１マスターライト選択起動信号を受信し、第１マスターライト選択ブロードキャスト・メッセージを前記第１マスターライト選択起動信号に基づき前記少なくとも１つの第２ＬＥＤ照明装置に送信し、及び
前記第１ＬＥＤ照明装置が回復するとき、前記第２無線通信モジュールが第２マスターライト選択ブロードキャスト・メッセージを前記少なくとも１つの第２ＬＥＤ照明装置に送信するように、前記機能不全追跡モジュールは回復を検知して回復情報を前記第２無線通信モジュールに送信し、ここで、前記第１マスターライト選択ブロードキャスト・メッセージは前記第１ＬＥＤ照明装置の機能不全情報を含み、前記第２マスターライト選択ブロードキャスト・メッセージは第１ＬＥＤ照明装置の前記回復情報を含む、
第１ＬＥＤ照明装置。
【請求項１０】
前記少なくとも１つの第２ＬＥＤ照明装置に接続後、前記第２無線通信モジュールは第２検知リクエストを予め設定された間隔内に前記少なくとも１つの第２ＬＥＤ照明装置に送信し、前記少なくとも１つの第２ＬＥＤ照明装置により送信される第２検知フィードバック信号を受信し、
前記機能不全追跡モジュールは、前記第２無線通信モジュールが前記予め設定された間隔内に前記第２検知リクエストを送信したか否か、又は前記第２検知フィードバック信号を受信したか否かを追跡し、
もし、前記第２無線通信モジュールが前記予め設定された間隔内に前記第２検知リクエストを送信していなかった、又は前記第２検知フィードバック信号を受信していなかったなら、前記機能不全追跡モジュールは第２マスターライト選択起動信号を前記第１無線通信モジュールに送信し、
前記第１無線通信モジュールは前記第２マスターライト選択起動信号を受信し、第３マスターライト選択ブロードキャスト・メッセージを前記第２マスターライト選択起動信号に基づき前記少なくとも１つの第２ＬＥＤ照明装置に送信し、及び
前記第１無線通信モジュールが前記第１ＬＥＤ照明装置の回復を検知後、前記第１無線通信モジュールは第４マスターライト選択ブロードキャスト・メッセージを前記少なくとも１つの第２ＬＥＤ照明装置に送信し、ここで、前記第３マスターライト選択ブロードキャスト・メッセージは前記第１ＬＥＤ照明装置の機能不全情報を含み、及び第４マスターライト選択ブロードキャスト・メッセージは前記第１ＬＥＤ照明装置の回復情報を含む、
請求項９に記載の第１ＬＥＤ照明装置。
【請求項１１】
発光ダイオード（ＬＥＤ）照明源、第２検知モジュール、第２処理モジュール、及びＬＥＤ照明装置を基礎とする無線メッシュ・ネットワークにおける第１ＬＥＤ照明装置と第２ＬＥＤ照明装置との間の通信を可能とするための第３無線通信モジュールを含む、第２ＬＥＤ照明装置であって、ここで
前記ＬＥＤ照明装置を基礎とする無線メッシュ・ネットワークが、無線ルーター、前記第１ＬＥＤ照明装置、及び少なくとも１つの第２ＬＥＤ照明装置を含み、
前記第３無線通信モジュールが前記第２検知モジュール及び前記第２処理モジュールに接続され、
前記第３無線通信モジュールがマスターライト選択ブロードキャスト・メッセージを受信して、検知リクエストに基づき前記無線ルーターの信号強度を検知後、前記第２検知モジュールが前記第３無線通信モジュールにより送信される前記検知リクエストを受信し、
前記第２処理モジュールが、前記第２検知モジュールにより検知される前記無線ルーターの信号強度が前記ＬＥＤ照明装置を基礎とする無線メッシュ・ネットワークにおける前記複数のＬＥＤ照明装置により検知される前記無線ルーターの信号強度の中で最大値をもたないことを決定するとき、前記第２処理モジュールはマスターライト取得信号を前記第３無線通信モジュールに送信し、及び
前記第３無線通信モジュールは前記マスターライト取得信号を受信し、前記第１ＬＥＤ照明装置により送信される前記第１ＬＥＤ照明装置の識別情報を含むマスターライト告知ブロードキャスト・メッセージを受信し、及び前記第１ＬＥＤ照明装置の識別情報に基づき前記第１ＬＥＤ照明装置との接続を形成する、
第２ＬＥＤ照明装置。
【請求項１２】
前記第２処理モジュールが第２検知ユニット及び第４比較回路を含む、請求項１１に記載の第２ＬＥＤ照明装置であって、ここで、
前記第３無線通信モジュールは前記第２検知ユニット及び前記第４比較回路に接続され、及び前記第４比較回路が前記第２検知モジュールに接続され、
もし前記第２ＬＥＤ照明装置が仮マスターライトであるなら、前記第２検知ユニットが仮マスターライト開始信号を前記第３無線通信モジュールに送信するように、前記第３無線通信モジュールがマスターライト選択ブロードキャスト・メッセージを取得後、前記第２検知ユニットは、前記第２ＬＥＤ照明装置が仮マスターライトであるか否かを決定し、
前記第３無線通信モジュールは、前記第２ＬＥＤ照明装置の識別情報を含む仮マスターライト告知ブロードキャスト・メッセージを前記仮マスターライト開始信号に基づき、前記ＬＥＤ照明装置を基礎とする無線メッシュ・ネットワークにおけるその他のＬＥＤ照明装置に送信し、前記その他のＬＥＤ照明装置により検知される前記無線ルーターの信号強度を受信し、及び前記信号強度を前記第４比較回路に送信し、及び
もし前記第４比較回路が、前記第２検知モジュールにより検知される信号強度は前記複数のＬＥＤ照明装置により検知される信号強度の中で最大値をもたないことを決定するなら、前記第４比較回路がマスターライト取得信号を前記第３無線通信モジュールに送信するように、前記第４比較回路は前記その他のＬＥＤ照明装置により検知される信号強度を前記第２検知モジュールにより検知される信号強度と比較する、
第２ＬＥＤ照明装置。
【請求項１３】
前記第２処理モジュールが、さらに前記第４比較回路に接続される第３メモリーを含む、請求項１２に記載の第２ＬＥＤ照明装置であって、ここで
前記第３メモリーが、前記第２ＬＥＤ照明装置が前記マスターライト選択の過程にあるとき、前記複数のＬＥＤ照明装置により検知され、及び前記第２ＬＥＤ照明装置により取得される信号強度を保存するように構成される、
第２ＬＥＤ照明装置。
【請求項１４】
前記第２処理モジュールが、さらに前記第３無線通信モジュール及び第３メモリーに接続される第５比較回路を含む、請求項１３に記載の第２ＬＥＤ照明装置であって、ここで、
前記第２ＬＥＤ照明装置が仮マスターライトでないなら、前記第２検知ユニットが仮マスターライト取得信号を前記第３無線通信モジュールに送信するように、第３無線通信モジュールがマスターライト選択ブロードキャスト・メッセージを受信後、前記第２検知ユニットが、前記第２ＬＥＤ照明装置が前記仮マスターライトか否かを決定し、
前記第３無線通信モジュールは前記仮マスターライト取得信号を受信し、前記仮マスターライト取得信号に基づき前記第２検知モジュールにより検知される前記無線ルーターの信号強度を取得し、前記無線メッシュ・ネットワークにおけるもう１つのＬＥＤ照明装置により送信される前記仮マスターライトの識別情報を含む仮マスターライト告知ブロードキャスト・メッセージを受信するとき、前記第２検知モジュールにより検知される前記信号強度を前記仮マスターライトの識別情報に基づき前記仮マスターライトに送信し、前記仮マスターライトにより送信される前記仮マスターライトの識別情報を含む仮マスターライト告知ブロードキャスト・メッセージを受信し、及び前記マスターライトの識別情報を前記第５比較回路に送信し、及び
前記第５比較回路が、前記マスターライトの取得された識別情報が前記第３メモリーに保存された前記第２ＬＥＤ照明装置の識別情報と異なると決定するとき、前記第５比較回路がマスターライト取得信号を前記第３無線通信モジュールに送信する、
第２ＬＥＤ照明装置。
【請求項１５】
無線ルーター、請求項１〜１０のいずれか１項に記載の第１ＬＥＤ照明装置、及び請求項１１〜１４のいずれか１項に記載の少なくとも１つの第２ＬＥＤ照明装置を含む、ＬＥＤ照明装置を基礎とする無線メッシュ・ネットワーク。
【請求項１６】
請求項１５に記載の前記ＬＥＤ照明装置を基礎とする無線メッシュ・ネットワークを遠隔制御する方法であって、
前記第１ＬＥＤ照明装置が、マスターライト選択ブロードキャスト・メッセージを取得後、前記無線ルーターの信号強度を検知すること、
前記第１ＬＥＤ照明装置が、前記第１ＬＥＤ照明装置により検知される前記無線ルーターの信号強度が前記ＬＥＤ照明装置を基礎とする無線メッシュ・ネットワークにおける前記複数のＬＥＤ照明装置により検知される信号強度の中で最大値をもつことを決定するなら、前記第１ＬＥＤ照明装置が前記無線ルーターとの接続を形成すること、
前記第１ＬＥＤ照明装置が、前記第１ＬＥＤ照明装置の識別情報を含む前記マスターライト告知ブロードキャスト・メッセージを前記少なくとも１つの第２ＬＥＤ照明装置に送信すること、及び
前記第２ＬＥＤ照明装置が、前記マスターライト告知ブロードキャスト・メッセージを受信し、前記識別情報に基づき前記第１ＬＥＤ照明装置との接続を形成すること、
を含む方法。
【請求項１７】
前記第１ＬＥＤ照明装置が前記無線ルーターとの接続を形成する、請求項３、１２、及び１４に記載の方法であって、
マスターライト選択ブロードキャスト・メッセージを受信するとき、前記第１ＬＥＤ照明装置が、前記第１ＬＥＤ照明装置は前記仮マスターライトであるか否かを決定すること、
前記第１ＬＥＤ照明装置が前記仮マスターライトであるなら、前記第１ＬＥＤ照明装置が前記第１ＬＥＤ照明装置の識別情報を含む仮マスターライト告知ブロードキャスト・メッセージを前記少なくとも１つの第２ＬＥＤ照明装置に送信すること、
前記第１ＬＥＤ照明装置が、前記少なくとも１つの第２ＬＥＤ照明装置により検知される前記無線ルーターの信号強度を受信すること、
前記第１ＬＥＤ照明装置が、前記少なくとも１つの第２ＬＥＤ照明装置により検知される信号強度を前記第１ＬＥＤ照明装置により検知される信号強度と比較すること、及び
前記第１ＬＥＤ照明装置が、前記第１ＬＥＤ照明装置により検知される信号強度は比較される信号強度の中で最大値をもつと決定するなら、前記第１ＬＥＤ照明装置が前記無線ルーターとの接続を形成すること、
を含む方法。
【請求項１８】
さらに、前記第１ＬＥＤ照明装置が、前記マスターライトの選択過程において前記複数のＬＥＤ照明装置により検知され、前記第１ＬＥＤ照明装置に取得される前記無線ルーターの信号強度を保存し、前記マスターライト選択のもう１つの過程において信号強度を提供するため保存された信号強度を用いること、
を含む、請求項１７に記載の方法。
【請求項１９】
前記第１ＬＥＤ照明装置が前記無線ルーターとの接続を形成する、請求項３、１２、及び１４に記載の方法であって、ここで、
前記マスターライト選択ブロードキャスト・メッセージを受信するとき、前記第１ＬＥＤ照明装置が、前記第１ＬＥＤ照明装置は前記仮マスターライトであるか否かを決定すること、
前記第１ＬＥＤ照明装置が前記仮マスターライトでないなら、前記第１ＬＥＤ照明装置が、前記第２ＬＥＤ照明装置により送信される第２ＬＥＤ照明装置の識別情報を含む仮マスターライト告知ブロードキャスト・メッセージを受信するとき、前記第１ＬＥＤ照明装置が前記第１ＬＥＤ照明装置により検知される前記無線ルーターの信号強度を前記第２ＬＥＤ照明装置の識別情報にしたがって前記第２ＬＥＤ照明装置に送信すること、
前記第１ＬＥＤ照明装置が、第２ＬＥＤ照明装置により送信される前記マスターライトの識別情報を含む仮マスターライト告知ブロードキャスト・メッセージを受信し、及び前記第１ＬＥＤ照明装置が前記マスターライトの識別情報を前記第１ＬＥＤ照明装置の前に保存された識別情報と比較すること、及び
前記マスターライトの識別情報が前記第１ＬＥＤ照明装置の前に保存された識別情報と同一であるなら、前記第１ＬＥＤ照明装置が前記無線ルーターとの接続を形成すること、
を含む方法。
【発明の詳細な説明】
【技術分野】
【０００１】
この出願は、2014年12月30日に出願された中国特許出願番号201410843150.9に基づく優先権を主張し、この出願全体の内容は本発明に参照により取り込まれる。
【０００２】
本願開示は、一般に発光ダイオード（ＬＥＤ）の分野、及び特に、ＬＥＤ照明装置、無線ネットワーク及び当該無線ネットワークを遠隔制御する方法に関する。
【背景技術】
【０００３】
ＬＥＤ（発光ダイオード）は電気又は電気エネルギーを可視光に変換するための半導体装置である。ＬＥＤは電気を光に直接変換することができる。ＬＥＤライトは、エネルギー保存、環境保護、制御可能照明、高度実用性、高度安定性、短い応答時間、及び長い運転寿命などを含む利点をもっている。ＬＥＤライトは低カーボン・ライフスタイルにおいて広範に使用されてきている。ＬＥＤ照明は高度に効率的な「グリーン」照明器具におけるトレンドを牽引している。ＬＥＤ照明装置の特異な電力供給及び制御方法は、様々な照明及びその他の電子装置におけるスマート制御及びマルチメディア性能の統合を支えている。
【発明の概要】
【発明が解決しようとする課題】
【０００４】
実用上、多くの器具は複数のＬＥＤライトを必要とする。従来の照明技術においては、複数のＬＥＤライト／照明装置が遠隔サーバーによって制御されるとき、それぞれのＬＥＤ照明装置は、個別に無線ルーター、及び当該無線ルーターを介して前記遠隔サーバーと通信／交信する。前記サーバーはそれぞれのＬＥＤ照明装置を個別に制御する。前記従来の照明技術は多量のネットワーク資源を浪費する可能性がある。また、前記複数のＬＥＤ照明装置はそれぞれ前記無線ルーターへの異なる距離をもち得るため、前記無線信号通信範囲（the wireless signal coverage）の末端に位置するＬＥＤ照明装置と前記遠隔サーバーとの間の通信は貧弱な質である可能性がある。
【課題を解決するための手段】
【０００５】
本願開示の装置及び方法は、例えば、通信安定性及びネットワーク資源の使用を、少なくとも部分的に解決し、又は改善することに関係する。
【０００６】
本願開示の１つの側面又は態様により、第１ＬＥＤ照明装置が提供される。前記第１ＬＥＤ照明装置には、ＬＥＤ照明源、第１検知モジュール、第１処理モジュール、ＬＥＤ照明装置を基礎とする無線ネットワークにおける無線ルーターとの通信用の第１無線通信モジュール、及びＬＥＤ照明装置を基礎とする無線ネットワークにおける少なくとも１つの第２照明装置との通信用の第２無線通信モジュールが含まれる。前記ＬＥＤ照明装置を基礎とする無線ネットワークは、前記無線ルーター、前記第１ＬＥＤ照明装置、及び前記少なくとも１つの第２ＬＥＤ照明装置を含むように構成される。前記第２無線通信モジュールは、前記第１通信モジュール及び前記第１検知モジュールの両方に接続され、及び前記第１無線通信モジュールは前記第１処理モジュールに電気的に接続される。前記第２通信モジュールがマスターライト選択（master-light-selecting）ブロードキャスト（broadcast）・メッセージを取得後に、前記第１検知モジュールは前記第２無線通信モジュールにより送信される検知リクエストを受信し、前記検知リクエストに基づき前記無線ルーターの信号強度を検知する。前記第１処理モジュールが、前記第１検知モジュールにより検知される信号強度が前記ＬＥＤ照明装置を基礎とする無線ネットワークにおける複数のＬＥＤ照明装置により検知される信号強度の中で最大値を有すると決定するとき、前記第１処理モジュールは開始信号を前記第１無線通信モジュールに送信する。前記第１無線通信モジュールが前記開始信号を受信し、前記開始信号に基づき前記無線ルーターとの接続を形成し、及びＬＥＤネットワーク形成リクエスト（LED network-forming request）を前記第２無線通信モジュールに送信する。前記第２無線通信モジュールが前記ネットワーク形成リクエストを受信し、マスターライト告知ブロードキャスト・メッセージ（master-light-notifying broadcast message）を前記少なくとも１つの第２ＬＥＤ照明装置に送信し、及び前記少なくとも１つの第２ＬＥＤ照明装置との接続を形成する。ここで、前記マスターライト告知ブロードキャスト・メッセージは前記第１ＬＥＤ照明装置の識別情報を含む。
【０００７】
本願開示のもう１つの側面又は態様により、第２ＬＥＤ照明装置が提供される。前記第２照明装置には、ＬＥＤ照明源、第２検知モジュール、第２処理モジュール、及びＬＥＤ照明装置を基礎とする無線ネットワークにおける第１ＬＥＤ照明装置と前記第２ＬＥＤ照明装置との間の通信を可能にするための第３無線通信モジュールが含まれる。前記ＬＥＤ照明装置を基礎とする無線ネットワークには、前記無線ルーター、前記第１ＬＥＤ照明装置、及び少なくとも１つの第２ＬＥＤ照明装置が含まれる。前記第３無線通信モジュールは前記第２検知モジュール及び前記第２処理モジュールに電気的に接続される。前記第２検知モジュールは、前記第３無線通信モジュールがマスターライト選択ブロードキャスト・メッセージを受信及び前記検知リクエストに基づき前記無線ルーターの信号強度を検知後に、前記第３無線通信モジュールにより送信される検知リクエストを受信する。前記第２処理モジュールが、前記第２検知モジュールにより検知される信号強度が前記ＬＥＤ照明装置を基礎とする無線ネットワークにおける複数のＬＥＤ照明装置により検知される信号強度のなかで最大値を有さないと決定するとき、前記第２処理モジュールはマスターライト取得信号（master-light-obtaining signal）を前記第３無線通信モジュールに送信する。前記第３無線通信モジュールが前記マスターライト取得信号を受信し、前記第１ＬＥＤ照明装置により送信される前記第１ＬＥＤ照明装置の識別情報を含むマスターライト告知ブロードキャスト・メッセージを受信し、及び前記第１ＬＥＤ照明装置の識別情報に基づき前記第１ＬＥＤ照明装置との接続を形成する。
【０００８】
本願開示のもう１つの側面により、ＬＥＤ照明装置を基礎とする無線ネットワークが提供される。前記ＬＥＤ照明装置を基礎とする無線ネットワークには、無線ルーター（wireless outer）、本願開示で提供される第１ＬＥＤ照明装置、及び本願開示で提供される第２ＬＥＤ照明装置が含まれる。
【０００９】
本願開示のもう１つの側面により、ＬＥＤ照明装置を基礎とする無線ネットワークの遠隔制御用の方法が提供される。当該方法には、ステップ１００からステップ１０３が含まれる。ステップ１００において、前記第１ＬＥＤ照明装置は、マスターライト選択ブロードキャスト・メッセージを取得後に、前記無線ルーターの信号強度を検知する。ステップ１０１において、前記第１ＬＥＤ照明装置が、前記第１照明装置により検知される前記無線ルーターの信号強度が前記ＬＥＤ照明装置を基礎とする無線ネットワークにおける複数のＬＥＤ照明装置により検知される信号強度のなかで最大値を有すると決定するなら、前記第１ＬＥＤ照明装置は前記無線ルーターとの接続を形成する。ステップ１０２において、前記第１ＬＥＤ照明装置は前記第１照明装置の識別情報を含むマスターライト告知ブロードキャスト・メッセージを前記少なくとも１つの第２ＬＥＤ照明装置に送信する。ステップ１０３において、前記第２ＬＥＤ照明装置は前記マスターライト告知ブロードキャスト・メッセージを受信し、及び前記識別情報に基づき前記第１ＬＥＤ照明装置との接続を形成する。
【図面の簡単な説明】
【００１０】
以下の図面は様々な開示の態様にしたがった説明のための単なる実例であり、本願発明の範囲を限定することを意図するものではない。
【００１１】
【図１】図１は、本願開示の態様にしたがった、第１ＬＥＤ照明装置の１例を表わすブロック図である。
【００１２】
【図２】図２は、本願開示の態様にしたがった、第１ＬＥＤ照明装置のもう１つの例を表わすブロック図である。
【００１３】
【図３】図３は、本願開示の態様にしたがった、第１ＬＥＤ照明装置のもう１つの例を表わすブロック図である。
【００１４】
【図４】図４は、本願開示の態様にしたがった、第１ＬＥＤ照明装置のもう１つの例を表わすブロック図である。
【００１５】
【図５】図５は、本願開示の態様にしたがった、第１ＬＥＤ照明装置のもう１つの例を表わすブロック図である。
【００１６】
【図６】図６は、本願開示の態様にしたがった、第１ＬＥＤ照明装置のもう１つの例を表わすブロック図である。
【００１７】
【図７】図７は、本願開示の態様にしたがった、第１ＬＥＤ照明装置のもう１つの例を表わすブロック図である。
【００１８】
【図８】図８は、本願開示の態様にしたがった、第２ＬＥＤ照明装置の１例を表わすブロック図である。
【００１９】
【図９】図９は、本願開示の態様にしたがった、第２ＬＥＤ照明装置のもう１つの例を表わすブロック図である。
【００２０】
【図１０】図１０は、本願開示の態様にしたがった、第２ＬＥＤ照明装置のもう１つの例を表わすブロック図である。
【００２１】
【図１１】図１１は、本願開示の態様にしたがった、第２ＬＥＤ照明装置のもう１つの例を表わすブロック図である。
【００２２】
【図１２】図１２は、本願開示の態様にしたがった、ＬＥＤ照明装置を基礎とする無線ネットワークの１例を表わすブロック図である。
【００２３】
【図１３】図１３は、本願開示の態様にしたがった、前記ＬＥＤ照明装置を基礎とする無線ネットワークを遠隔制御するための方法のプロセスの１例を表わすブロック図である。
【発明を実施するための形態】
【００２４】
添付図面に記載された本願発明態様の実例について、以下に詳細な説明を行う。以下、本願開示にしたがった態様は、図面を参照して記載される。可能な限り、全図面を通して、同一又は類似のものを言及するために同一の参照番号を用いる。記載された態様は幾つかあり、本願発明の全ての態様ではないことは明らかである。開示された態様に基づいて、当業者は、本願開示にしたがったその他の態様を導くことができるが、それらのすべては本願発明の範囲内にある。
【００２５】
本願開示において、ＬＥＤ照明装置は照明システムにおいてマスターライト（master light）でもスレイブライト（slave light）でもよい。前記マスターライト及び前記スレイブライトは少なくとも１つのＬＥＤ照明源及び前記照明装置が統合される少なくとも１つの無線通信モジュールを備える照明装置である。いくつかの態様において、前記ＬＥＤ照明源は少なくとも１つのＬＥＤ照明チップであることができる。前記照明装置はインドア空間又はアウトドア空間用の照明を提供するために用いることができる。いくつかの態様において、前記ＬＥＤ照明源はインジケータライトとして用いることができる。いくつかの態様において、前記ＬＥＤ照明源は一般照明目的用及びインジケータライト用の両方を含むことができる。
【００２６】
前記マスターライト（master light）とは、前記遠隔サーバーと通信／交信するために前記無線ルーターと直接接続されるＬＥＤ照明装置のことということができる。スレーブライト（slave light）とは、間接的に前記無線ルーターと接続されて前記遠隔サーバーと通信／交信するために前記マスターライトに接続されるＬＥＤ照明装置のことということができる。マスターライト選択ブロードキャスト・メッセージ（master-light-selecting broadcast message）とは、前記マスターライトを選択するために前記無線ネットワークにおいて特定の照明装置に送信されるブロードキャスト・メッセージのことということができる。ＬＥＤネットワーク形成リクエスト（LED network-forming request）とは、特定のＬＥＤ照明装置の間で接続／ネットワークを形成するためのリクエストのことということができる。マスターライト告知ブロードキャスト・メッセージ（master-light-notifying broadcast message）とは、前記マスターライトの選択を告知するためのブロードキャスト・メッセージのことということができる。仮マスターライト選択ブロードキャスト・メッセージ（temporary- master-light-selecting broadcast message）とは、前記仮マスターライトを選択するために前記無線ネットワークにおける特定のＬＥＤ照明装置に送信されるブロードキャスト・メッセージのことということができる。仮マスターライト告知ブロードキャスト・メッセージ（temporary-master-light-notifying broadcast message）とは、前記仮マスターライトの選択を告知するためのブロードキャスト・メッセージのことということができる。
【００２７】
以下に述べるように、図１〜１２はそれらの図の中で照明源を明示はしていないが、本願開示の態様におけるＬＥＤ照明装置は少なくともＬＥＤ照明チップのような照明源を含む。例えば、図１〜１２に記載されるＬＥＤ照明装置はネットワーキング性能を備えるスマートライトであることができる。前記の様々な通信モジュール及びその他の機能性モジュールは前記スマートライトに統合されるソフトウエア及び／又はハードウエアである。これらのスマートライトは、ある空間（部屋、アウトドア空間）において照明を提供するために用いることができる。また、これらのスマートライトは照明装置ネットワークを形成することができる。
【００２８】
本願開示のいくつかの態様において、前記照明装置の照明機能及びネットワーク機能を統合することができる。例えば、前記仮マスターライトの選択過程で、前記マスターライトの照明源は前記マスターライト選択の状態を示すために設定時間間隔用の輝度又はライトの色を変更することができる。もう１つの例において、前記照明装置は、様々なネットワーク機能の状態及び接続状態を示すために少なくとも１つのインジケータライトの色を変更する間に、一般の照明目的のため前記光出力を維持することができる。例えば、照明装置が前記ネットワークに適切に接続されるとき、インジケータライトを緑に設定することができる。照明装置が前記ネットワークに適切に接続されないとき、インジケータライトを赤に設定することができる。新規の照明装置が前記ネットワークに加わるとき、前記照明装置は前記インジケータライトを点滅させることができる。
【００２９】
図１は本願開示にしたがった第１ＬＥＤ照明装置の１例の構造を示す。図１に示されるように、前記第１ＬＥＤ照明装置は、第１検知モジュール１１、第１処理モジュール１２、第１無線通信モジュール１３、及び第２無線通信モジュール１４を含むことができる。前記第１無線通信モジュール１３はＬＥＤ照明装置を基礎とする無線ネットワーク（すなわち、ＬＥＤ照明装置及びその他の装置により形成される無線ネットワーク）において無線ルーターと通信することができる。前記第２無線通信モジュール１４は前記ＬＥＤ照明装置を基礎とする無線ネットワークにおいて少なくとも１つの第２照明装置と通信することができる。前記ＬＥＤ照明装置を基礎とする無線ネットワークは、前記無線ルーター、前記第１ＬＥＤ照明装置、及び前記少なくとも１つの第２ＬＥＤ照明装置を含むことができる。
【００３０】
前記第２無線通信モジュール１４は前記第１無線通信モジュール１３及び前記第１検知モジュール１１の両方に電気的に接続することができる。前記第１無線通信モジュール１３は前記第１処理モジュール１２に電気的に接続することができる。
【００３１】
前記第１検知モジュール１１は、前記第２無線通信モジュール１４が前記マスターライト選択ブロードキャスト・メッセージを受信後、前記第２無線通信モジュール１４により送信される検知リクエストを受信することができる。前記第１検知モジュール１１は前記検知リクエストに基づき前記無線ルーターの信号強度を検知することができる。
【００３２】
前記第１処理モジュール１２が、前記第１検知モジュール１１により検知される信号強度が最大値を有すると決定するとき、前記第１処理モジュール１２は前記第１無線通信モジュール１３に開始信号を送信することができる。前記最大信号強度は、前記ＬＥＤ照明装置を基礎とする無線ネットワーク（例えば、前記無線ネットワークの異なる位置において配置されるＬＥＤ照明装置を含む）における全ての前記ＬＥＤ照明装置から検知される信号強度の中で最大／最高／最強の値を有する信号強度を表すことができる。
【００３３】
前記第１無線通信モジュール１３は、前記第１処理モジュール１２により送信される開始信号を受信し、及び前記開始信号に基づき前記無線ルーターとの接続を形成することができる。また、前記第１無線通信モジュール１３は前記第２無線通信モジュール１４にＬＥＤネットワーク形成リクエストを送信することができる。
【００３４】
前記第２無線通信モジュール１４は、前記ＬＥＤネットワーク形成リクエストを受信し、及びマスターライト告知ブロードキャスト・メッセージを前記ＬＥＤ照明装置を基礎とする無線ネットワークにおける全ての前記第２ＬＥＤ照明装置に送信することができる。前記マスターライト告知ブロードキャスト・メッセージは前記第１ＬＥＤ照明装置の識別情報を含むことができる。前記第２無線通信モジュール１４は前記ＬＥＤ照明装置を基礎とする無線ネットワークにおける全ての前記第２ＬＥＤ照明装置との接続を形成することができる。
【００３５】
前記第１検知モジュール１１は信号強度検知器であり得る。前記第１無線通信モジュール１３はＷｉＦｉモジュールであり得る。前記ＷｉＦｉモジュールともう１つの装置との交信（interaction）は無線通信プロトコルに基づく。前記第２無線通信モジュール１４は通信モジュールであり得る。１つの態様において、前記第２無線通信モジュール１４ともう１つの装置との間の交信は無線メッシュ・ネットワーク（wireless mesh network）用の通信プロトコルに基づく。複数の方法により前記第１処理モジュール１２の機能を実現することができ、それぞれの方法が異なる計算を採用することができる。前記第１処理モジュール１２の構造の詳細は以下の態様で説明される。
【００３６】
前記第１検知モジュール１１、前記第１処理モジュール１２、前記第１無線通信モジュール１３、及び前記第２無線通信モジュール１４はそれぞれ、前記第１ＬＥＤ照明装置において電力供給回路を含むことができ、及び／又は前記照明制御装置に接続することができることに留意すべきである。前記照明制御装置は上述の各モジュール用の電力を提供することができる。電力供給回路又は前記照明制御装置の使用は、前記応用／態様により決定することができ、本願開示の態様に限定されない。
【００３７】
特定の態様において、複数のＬＥＤ照明装置を前記遠隔サーバーにより制御することができる。従来の照明技術において、各ＬＥＤ照明装置は、各ＬＥＤ照明装置が前記第１無線通信モジュール１３を介して前記無線ルーターに接続するように、前記第１無線通信モジュール１３を介して前記無線ルーターと通信／交信することができる。各ＬＥＤ照明装置は前記無線ルーターを介して前記遠隔サーバーと通信／交信することができる。前記遠隔サーバーは各ＬＥＤ照明装置を独立して制御することができる。
【００３８】
本願開示により提供される１つの態様において、複数のＬＥＤ照明装置及び前記無線ルーターは前記ＬＥＤ照明装置を基礎とする無線ネットワークを形成することができる。前記複数のＬＥＤ照明装置は前記第１ＬＥＤ照明装置及び少なくとも１つの第２ＬＥＤ照明装置を含むことができる。前記第１検知モジュール１１、前記第１処理モジュール１２、及び前記第２無線通信モジュール１４は、前記第１ＬＥＤ照明装置に統合することができる。前記第１ＬＥＤ照明装置により検知される前記無線ルーターの信号強度が前記無線ネットワークにおける全ての前記ＬＥＤ照明装置により検知される前記無線ルーターの信号強度の中で最大値を持つなら、前記第１ＬＥＤ照明装置は前記第１無線通信モジュール１３を介して前記無線ルーターとの接続を形成することができる。したがって、前記第１ＬＥＤ照明装置は、前記第１ＬＥＤ照明装置が前記遠隔サーバーにより直接制御されるように、前記遠隔サーバーと通信／交信することができる。また、前記第１照明装置は前記第２無線通信モジュール１４を介して前記無線ネットワークにおける全ての前記第２ＬＥＤ照明装置と通信／交信する（例えば、無線メッシュ・ネットワーク用の通信プロトコルに基づいて）ことができる。全ての前記第２ＬＥＤ照明装置は、前記遠隔サーバーが全ての前記第２ＬＥＤ照明装置にわたり中央制御をすることができるように、前記第１ＬＥＤ照明装置を介して前記遠隔サーバーと間接的に通信／交信することができる。
【００３９】
具体的には、前記第２無線通信モジュール１４が前記無線ネットワークにおけるその他の装置により送信されるマスターライト選択ブロードキャスト・メッセージを受信後、前記第２無線通信モジュール１４は検知リクエストを前記第１検知モジュール１１に送信することができる。前記ブロードキャスト・メッセージを送信する装置は前記ＬＥＤ照明装置を基礎とする無線ネットワークにおいて前記主要な制御装置であり得ることに留意すべきである。前記主要な制御装置は、予め決定された間隔／サイクルにしたがってマスターライト選択ブロードキャスト・メッセージを送信することができる。また、前記ブロードキャスト・メッセージを送信する装置は前記無線ネットワークにおけるＬＥＤ照明装置でもあり得る。例えば、前記ＬＥＤ照明装置は現在のマスターライト及び／又は前記マスターライトに接続されるスレーブライトであり得る。前記マスターライトの特定の構造及び機能は前記第１照明装置ということができる。前記スレーブライトの特定の構造及び機能は前記第２ＬＥＤ照明装置ということができる。
【００４０】
前記マスターライトとして機能する前記ＬＥＤ照明装置が前記無線ルーター又は前記無線ネットワークから非接続となっていることを検知する場合、前記無線ネットワークにおける全ての前記ＬＥＤ照明装置は前記無線ネットワークに接続できないかもしれない。前記マスターライトはマスターライト選択ブロードキャスト・メッセージを前記無線ネットワークにおける全ての前記ＬＥＤ照明装置に送信することができる。スレーブライトとして機能する前記ＬＥＤ照明装置が前記マスターライトから非接続であることを検知する場合、前記スレーブ照明装置もまたマスターライト選択ブロードキャスト・メッセージを前記無線ネットワークにおける全ての前記ＬＥＤ照明装置に送信することができる。前記マスター照明装置、スレーブ照明装置、及び／又は前記主要な制御装置が、新規のＬＥＤ照明装置が前記無線ネットワークに加わる（すなわち、接続される）という情報を受信するとき、前記マスター照明装置、前記スレーブ照明装置、及び／又は前記主要な制御装置は、マスターライト選択ブロードキャスト・メッセージを前記無線ネットワークにおける全ての前記ＬＥＤ照明装置に送信することができる。前記無線ネットワークにおける全てのＬＥＤ照明装置は、前記選択されたマスターライトが前記無線ルーターに接続されるように、前記マスターライト選択ブロードキャスト・メッセージに基づき前記マスターライトを選択することができる。前記無線ネットワークにおける全てのその他のＬＥＤ照明装置（すなわち、前記無線ルーターに直接接続されるＬＥＤ照明装置を除く、前記マスターライト又は前記ＬＥＤ照明装置）は前記マスターライトに接続することができる。
【００４１】
前記第１検知モジュール１１は信号強度検知器であり得る。前記第１検知モジュール１１が前記第２無線通信モジュール１４から前記検知リクエストを受信するとき、前記第１検知モジュール１１は前記無線ネットワークにおける前記無線ルーターの信号強度をチェックすることができる。前記第１処理モジュール１２が、前記第１検知モジュール１１により検知される信号は全ての前記ＬＥＤ照明装置により検知される信号の中で最大値をもつことを検知するとき、前記第１処理モジュール１２は前記第１ＬＥＤ照明装置を選択して前記無線ネットワークにおける前記マスターライトとすることができる。すなわち、前記第１処理モジュール１２は開始信号を前記第１無線通信モジュール１３に送信することができる。前記第１無線通信モジュール１３が前記開始信号を受信するとき、前記無線通信モジュール１３は予め決定された配置情報にしたがって前記無線ルーターとの接続を形成することができる。前記接続の形成後、前記第１無線通信モジュール１３はＬＥＤネットワーク形成リクエストを前記第２無線通信モジュール１４に送信することができる。前記第２無線通信モジュール１４が前記ＬＥＤネットワーク形成リクエストを受信するとき、前記第２無線通信モジュール１４はマスターライト告知ブロードキャスト・メッセージを前記無線ネットワークにおける全ての前記第２ＬＥＤ照明装置に送信することができ、ここで、前記ブロードキャスト・メッセージは前記第１ＬＥＤ照明装置の識別情報を含むことができる。各第２ＬＥＤ照明装置は、前記第１ＬＥＤ照明装置の識別情報を取得するために前記マスターライト告知ブロードキャスト・メッセージを解析することができる。さらに、各第２ＬＥＤ照明装置は、前記識別情報に基づき前記第１ＬＥＤ照明装置との接続を形成することができる。したがって、前記第１ＬＥＤ照明装置により検知される前記無線ルーターの信号強度が前記無線ネットワークにおける全てのＬＥＤ照明装置により検知される信号強度の中で最大値をもつため、前記第１ＬＥＤ照明装置は前記無線ネットワークにおける前記マスターライトであり得、及び全ての前記第２ＬＥＤ照明装置は前記ネットワークにおける前記スレーブライトであり得る。前記第１ＬＥＤ照明装置は前記第１無線通信モジュール１３を介して前記無線ルーターと接続することができ、前記無線ルーターを介して前記遠隔サーバーと通信することができる。したがって、前記第１ＬＥＤ照明装置は前記遠隔サーバーにより直接制御することができる。また、前記第１ＬＥＤ照明装置は、全ての前記第２ＬＥＤ照明装置が前記第１ＬＥＤ照明装置を介して前記無線ルーターに接続できるように、前記第２無線通信モジュール１４を介して全ての第２ＬＥＤ照明装置に接続することができる。したがって、全ての前記第２ＬＥＤ照明装置は前記遠隔サーバーにより間接的に集中化し、制御することができる。
【００４２】
１つの態様において、前記第１検知モジュール１１、前記第１処理モジュール１２、前記無線ルーターと通信用の前記第１無線通信モジュール１３、及び前記無線ネットワークにおける前記第２ＬＥＤ照明装置と通信用の前記第２無線通信モジュール１４は、全て前記第１ＬＥＤ照明装置内に統合することができる。前記第１処理モジュール１２が、前記第１検知モジュール１１により検知される無線ルーターの信号強度が前記無線ネットワークにおける全ての前記ＬＥＤ照明装置により検知される信号強度の中で最大値をもつことを取得するなら、前記第１処理モジュール１２は前記第１無線通信モジュール１３を介して前記無線ルーターとの接続を形成することができる。前記第１処理モジュール１２は、前記第１処理モジュール１２が前記第２無線通信モジュール１４を介して前記無線ネットワークにおける全ての前記第２ＬＥＤ照明装置との接続を形成することができるように、マスターライト告知ブロードキャスト・メッセージを前記第２無線通信モジュール１４を介して前記無線ネットワークにおける全ての前記第２ＬＥＤ照明装置に送信することができる。すなわち、前記第１ＬＥＤ照明装置は前記無線ルーターを介して前記遠隔サーバーに直接接続することができる。全ての前記第２ＬＥＤ照明装置は、前記第１ＬＥＤ照明装置を介して間接的に前記遠隔サーバーにより集中化し、制御することができる。上述の配置／接続により、前記無線ネットワークにおける全ての前記ＬＥＤ照明装置が前記無線ルーターの最大／最強の信号強度を備える前記マスターライトを介して前記無線ルーターに接続することを確保することができる。前記マスターライトに接続された前記ＬＥＤ照明装置は、前記マスターライトを介して間接的に前記遠隔サーバーにより集中化し、制御することができる。上述の配置／接続により、多量のネットワーク資源を節減し、前記通信の安定性を改善することができる。
【００４３】
図２は、本願開示により提供されるＬＥＤ照明装置のもう１つの例の構造を表わす。図２に示されるように、前記第１処理モジュール１２の構造は図１に示される前記第１処理モジュール１２に基づく。図２は、前記第１検知モジュール１１（すなわち、前記第１検知モジュール１１により検知される信号強度が最大値をもつことを如何に決定するか）の機能を実現するための前記第１処理モジュール１２の各部分／モジュールの間の働き（functioning）及び協働（collaboration）を表わす。前記第１処理モジュール１２は第１検知ユニット１２１及び第１比較回路１２２を含むことができる。
【００４４】
前記第２無線通信モジュール１４は前記第１検知ユニット１２１及び前記第１比較回路１２２に電気的に接続することができる。前記第１比較回路１２２は前記第１検知モジュール１１及び前記第１無線通信モジュール１３に電気的に接続することができる。
【００４５】
前記第１検知ユニット１２１は、前記第２無線通信モジュール１４がマスターライト選択ブロードキャスト・メッセージを取得するとき、前記第１ＬＥＤ照明装置が前記仮マスターライトとして機能しているか否かを決定することができる。前記第１ＬＥＤライトが前記仮マスターライトとして機能しているなら、前記第１検知ユニット１２１は仮マスターライト開始信号を前記第２無線通信モジュール１４に送信することができる。
【００４６】
前記第２無線通信モジュール１４はマスターライト告知ブロードキャスト・メッセージを前記仮マスターライト開始信号に基づき全ての前記第２ＬＥＤ照明装置に送信することができる。前記マスターライト告知ブロードキャスト・メッセージは前記第１ＬＥＤ照明装置の識別情報を含むことができる。前記第２無線通信モジュール１４は、全ての第２ＬＥＤ照明装置により検知及び送信される前記無線ルーターの信号強度を受信し、全ての前記信号強度を前記第１比較回路１２２に送信することができる。
【００４７】
前記第１比較回路１２２は前記第２ＬＥＤ照明装置により検知される信号強度を前記第１検知モジュール１１により検知される信号強度と比較することができる。もし前記第１検知モジュール１１により検知される前記信号強度が、比較される全ての信号強度のなかで最大値をもつなら、前記第１比較回路１２２は前記第１無線通信モジュール１３に開始信号を送信することができる。
【００４８】
複数の方法により、前記第１検知ユニット１２１の機能を実現でき、及びそれぞれの方法が異なる構造に適用されることに留意すべきである。前記第１処理モジュール１２の具体的な構造は以下の態様に導入される。例えば、前記第１比較回路１２２は比較装置チップであり得る。
【００４９】
具体的には、前記第２無線通信モジュール１４が前記マスターライト選択ブロードキャスト・メッセージを取得するとき、前記第１検知ユニット１２１は、前記第１ＬＥＤ照明装置が前記仮マスターライトであるか否かを決定するために関連情報を検知開始することができる。前記関連情報は、時間情報、保存されているＬＥＤ照明装置のハードウエア識別情報（saved hardware identification）、及び／又は前記ＬＥＤ照明装置に割り当てられた通信アドレスを含むことができる。前記関連情報は具体的用途／特定の要件にしたがって選択することができる。前記第１検知ユニット１２１は、特定の情報についての比較及び照会のような方法により前記第１ＬＥＤ照明装置が前記仮マスターライトであるか否かを決定することができる。
【００５０】
前記第１検知ユニット１２１が、前記第１ＬＥＤ照明装置が前記仮マスターライトとして機能していることを検知するなら、前記第１検知ユニット１２１は仮マスターライト開始信号を前記第２無線通信モジュール１４に送信することができる。前記第２無線通信モジュール１４は仮マスターライト告知ブロードキャスト・メッセージを全ての第２ＬＥＤ照明装置に送信することができ、ここで、前記仮マスターライト告知ブロードキャスト・メッセージは前記第１ＬＥＤ照明装置の識別情報を含むことができる。全ての前記第２ＬＥＤ照明装置は、前記第１ＬＥＤ照明装置の識別情報を取得するために前記仮マスターライト告知ブロードキャスト・メッセージを受信及び解析することができる。さらに、全ての前記第２ＬＥＤ照明装置は、全ての前記第２ＬＥＤ照明装置により検知される前記無線ルーターの信号強度を、前記第１ＬＥＤ照明装置の識別情報に基づき前記第１ＬＥＤ照明装置（すなわち、前記仮マスターライト）に送信することができる。前記第１ＬＥＤ照明装置は、全ての前記第２ＬＥＤ照明装置により検知及び送信される前記信号強度を受信し、前記信号強度データを前記第１比較回路１２２に送信することができる。前記第１比較回路１２２は、全ての前記ＬＥＤ照明装置により検知される信号強度を前記第１検知モジュール１１により検知される信号強度と比較することができる。前記第１比較回路１２２が、前記第１検知モジュール１１により検知される信号強度が最大値をもつと決定するなら、前記第１検知モジュール１１は開始信号を前記第１無線通信モジュール１３に送信することができる。
【００５１】
前記第１比較回路１２２は、全ての前記第２ＬＥＤ照明装置により検知される信号強度を前記第１検知モジュール１１により検知される信号強度と比較することができることに留意すべきである。前記第１比較回路１２２が、前記第１検知モジュール１１及び少なくとも１つの前記第２ＬＥＤ照明装置により検知される信号強度がいずれも最大値をもつことを検知するなら、前記第１比較回路１２２は前記第１ＬＥＤ照明装置を決定／選択して前記マスターライトとすることができる。選択的に、前記第１比較回路１２２は、前記第２無線通信モジュール１４を介して同一の最大信号強度をもつその他の第２ＬＥＤ照明装置と連携（coordinate）し、前記第１ＬＥＤ照明装置を選択して前記マスターライトとすることができる。
【００５２】
１つの態様において、図１に示される構造に基づき、前記第１検知ユニット１２１及び前記第１比較回路１２２は前記第１処理モジュール１２へ統合することができる。前記第１検知ユニット１２１が前記第１ＬＥＤ照明装置を決定して前記マスター装置とした後、前記第１比較回路１２２は、前記第１検知モジュール１１から前記第１ＬＥＤ照明装置により検出される前記無線ルーターの信号強度を取得することができる。前記第２無線通信モジュール１４を介して、前記第１比較回路１２２は前記第２ＬＥＤ照明装置と通信／交信し、及び全ての前記第２ＬＥＤ照明装置により検知される信号強度を取得することができる。さらに、前記第１比較回路１２２は、前記第１ＬＥＤ照明装置が前記仮マスターライトとして機能することができるように、前記第１ＬＥＤ照明装置により検知される信号強度が最大値をもつと決定することができる。上述されるプロセスにより、処理のためより少ない資源が必要とされるように、前記無線ネットワークにおける複数のＬＥＤ照明装置の中での同時の連携及び処理を避けることができる。したがって、処理効率を改善することができる。
【００５３】
図３は、本願開示により提供される第１ＬＥＤ照明装置のもう１つの例の構造を表わす。図３に示されるように、図２に示される前記第１ＬＥＤ照明装置に基づき、図３に表わされる前記第１処理モジュール１２は、さらに前記第１比較回路１２２に電気的に接続される第１メモリー１２３を含むことができる。
【００５４】
前記第１メモリー１２３は、前記マスターライトを選択するプロセスの間に前記第１ＬＥＤ照明装置により取得される前記無線ルーターの信号強度（すなわち、前記ＬＥＤ照明装置を基礎とする無線ネットワークにおける全ての前記ＬＥＤ照明装置により検知される）を保存するために用いることができる。
【００５５】
具体的には、前記第１比較回路１２２は、前記第１検知モジュール１１から前記第１照明装置により検知される信号強度を取得することができる。前記第２無線通信モジュール１４は、全ての前記第２照明装置により検知される前記無線ルーターの信号強度を取得するために前記無線ネットワークにおける前記第２ＬＥＤ照明装置と通信／交信することができる。前記第１比較回路１２２は、全ての前記ＬＥＤ照明装置の信号強度情報に基づき前記第１ＬＥＤ照明装置を決定して前記マスターライトとし、前記第１メモリー１２３における全ての前記ＬＥＤ照明装置の信号強度情報を保存することができる。前記無線ルーター及び前記ＬＥＤ照明装置の位置は特定の時間間隔内に変化できないので、各ＬＥＤ照明装置により検知される無線ルーターの信号強度も各ＬＥＤ照明装置が適切に作動している間は変化することができない。
【００５６】
したがって、特定の時間間隔後に前記無線ネットワークにおけるある装置がもう１つのマスターライト選択ブロードキャスト・メッセージを送信して前記マスターライトの選択を起動し、前記無線ルーター及び前記ＬＥＤ照明装置の位置が前記マスターライトの最も直近の選択と比較して変化しなかったなら、最も直近の仮マスターライトとして機能している前記第１照明装置は、前記無線ネットワークにおける全てのＬＥＤ照明装置により検知される無線ルーターの信号強度を、前記マスターライト選択用の前記第１メモリー１２３を介して、前記現在の仮マスターライトに提供することができる。上述の調整／デザイン（arrangement/design）により、前記ＬＥＤ照明装置が繰り返し情報を送信することを回避して、処理資源及びネットワーク資源を節減することが可能となる。したがって、前記処理効率を改善することができる。
【００５７】
図４は、本願開示により提供される第１ＬＥＤ照明装置のもう１つの例の構造を表わす。図４に示されるように、図４に示される前記第１ＬＥＤ照明装置に基づき、前記第１処理モジュール１２は、さらに第２比較回路１２４を含むことができる。
【００５８】
前記第２比較回路１２４は、前記第２無線通信モジュール１４、前記第１無線通信モジュール１３、及び前記第１メモリー１２３に電気的に接続することができる。
【００５９】
前記第１検知ユニット１２１は、前記第２無線通信モジュール１４がマスターライト選択ブロードキャスト・メッセージを受信後、前記第１ＬＥＤ照明装置が前記仮マスターライトとして機能しているか否かを決定することができる。もし前記第１ＬＥＤ照明装置が前記仮マスターライトとして機能していないなら、前記第１検知ユニット１２１は仮マスターライト取得信号を前記第２無線通信モジュール１４に送信することができる。
【００６０】
前記第２無線通信モジュール１４は前記仮マスターライト取得信号を受信し、前記仮マスターライト取得信号に基づき前記第１検知モジュール１１により検知される信号強度を取得することができる。さらに、前記第２無線通信モジュール１４が第２ＬＥＤ照明装置により送信される仮マスターライト告知ブロードキャスト・メッセージ（すなわち、前記第２ＬＥＤ照明装置の識別情報を含む）を受信しているとき、前記第２無線通信モジュール１４は前記第１検知モジュール１１により検知される信号強度を前記第２ＬＥＤ照明装置の識別情報に基づき前記第２ＬＥＤ照明装置に送信することができる。また、前記第２無線通信モジュール１４は前記第２ＬＥＤ照明装置により送信されるマスターライト告知ブロードキャスト・メッセージ（すなわち、前記マスターライトの識別情報を含む）を受信することができ、及び前記マスターライトの識別情報を前記第２比較回路１２４に送信することができる。
【００６１】
もし前記第２比較回路１２４が、前記マスターライトの識別情報が前記第１メモリー１２３に保存された前記第１ＬＥＤ照明装置の識別情報と同一であると検知するなら、前記第２比較回路１２４は開始信号を前記第１無線通信モジュール１３に送信することができる。
【００６２】
具体的には、図４はもう１つの応用を提供する。この場合、第２ＬＥＤ照明装置は前記仮マスターライトとして機能することができ、前記仮マスターライトは第１ＬＥＤ照明装置を前記マスターライトと決定することができる。具体的には、前記第２無線通信モジュール１４が前記マスターライト選択用の前記ブロードキャスト・メッセージを受信するとき、前記第１検知ユニット１２１は前記第１ＬＥＤ照明装置が前記仮マスターライトであるか否かを決定するために関連情報を検知し始めることができる。前記関連情報は、時間情報、前記保存されているＬＥＤ照明装置のハードウエア識別情報、及び／又は前記ＬＥＤ照明装置に割り当てられた通信アドレスを含むことができる。前記関連情報の選択は具体的な応用／特定の要件にしたがって決定することができる。前記第１検知ユニット１２１は、取得された前記関連情報を比較・照会するような特定の方法を介して、前記第１ＬＥＤ照明装置が前記仮マスターライトであるか否かを決定することができる。もし前記第１検知ユニット１２１が、前記第１ＬＥＤ照明装置は前記仮マスターライトではないと決定するなら、前記第１検知ユニット１２１は仮マスターライト取得信号を前記第２無線通信モジュール１４に送信することができる。
【００６３】
第２無線通信モジュール１４は前記仮マスターライト取得信号を受信することができ、前記仮マスターライト取得信号に基づき前記第１検知モジュール１１により検知される信号強度を取得することができる。前記第２無線通信モジュール１４が第２ＬＥＤ照明装置により送信される仮マスターライト告知ブロードキャスト・メッセージ（すなわち、前記第２ＬＥＤ照明装置の識別情報を含む）を受信するとき、前記第２無線通信モジュール１４は前記第１検知モジュール１１により検知される信号強度を前記第２ＬＥＤ照明装置の識別情報にしたがって前記仮マスターライトとして機能している前記第２ＬＥＤ照明装置に送信することができる。
【００６４】
前記仮マスターライトが全ての前記ＬＥＤ照明装置により検知される信号強度を受信後、前記仮マスターライトは最大信号強度をもつＬＥＤ照明装置を前記マスターライトと決定することができ、マスターライト告知ブロードキャスト・メッセージを前記無線ネットワークにおける全ての前記ＬＥＤ照明装置に送信することができ、ここで、前記マスターライト告知ブロードキャスト・メッセージは前記マスターライトの識別情報を含むことができる。前記第１ＬＥＤ照明装置は、前記第２無線通信モジュール１４を介して前記マスターライトの識別情報を含む前記マスターライト告知ブロードキャスト・メッセージを取得するために前記ブロードキャスト・メッセージを受信及び解析することができ、及び前記マスターライトの識別情報を前記第２比較回路１２４に送信することができる。もし前記第２比較回路１２４が、前記マスターライトの識別情報が前記第１メモリー１２３において前に保存された前記第１ＬＥＤ照明装置の識別情報と同一であるなら、前記第２比較回路１２４は前記第１ＬＥＤ照明装置が前記マスターライトであると決定することができ、前記第１無線通信モジュール１３に開始信号を送信することができる。
【００６５】
１つの態様において、前記第１検知ユニット１２１が前記第２ＬＥＤ照明装置は前記仮マスターライトであると決定後、前記第２無線通信モジュール１４は前記第１検知モジュール１１から前記第１ＬＥＤ照明装置により検知される信号強度を取得することができ、取得された信号強度を前記仮マスターライトとして機能している前記第２ＬＥＤ照明装置に送信することができる。前記仮マスターライトとして機能している前記第２ＬＥＤ照明装置は全ての前記ＬＥＤ照明装置により検知される信号強度を比較して、前記第１ＬＥＤ照明装置が最大の信号強度をもつと決定することができる。したがって、前記仮マスターライトとして機能している前記第２ＬＥＤ照明装置は前記マスターライトを決定することができる。上述のプロセスにより、前記無線ネットワークにおける複数のＬＥＤ照明装置の中で同時の処理及び連携を避けることができる。処理のためのより少ない資源が要求され、処理効率を改善することができる。
【００６６】
図５は、本願開示により提供される第１ＬＥＤ照明装置のもう１つの例の構造を表わす。図５に示されるように、図２〜４に示される前記第１ＬＥＤ照明装置に基づき、前記第１検知ユニット１２１の構造を特定することができる。図５は、前記第１ＬＥＤ照明装置が前記仮マスターライトであるか否かを決定するための前記第１検知ユニット１２１の各部品間の配置を表わす。前記第１検知ユニット１２１はタイマー１２１１及びフリップ−フロップ／ラッチ（flip-flop/latch）１２１２を含むことができる。前記フリップ−フロップ回路１２１２は前記タイマー１２１１及び前記第２無線通信モジュール１４に電気的に接続することができる。
【００６７】
前記タイマー１２１１は、前記第１ＬＥＤ照明装置に対応した仮マスターライト作動スケジュールを設定することができる。もしＬＥＤ照明装置の作動時間が開始するなら、前記タイマーは起動信号を前記フリップ−フロップ回路１２１２に送信することができる。
【００６８】
前記フリップ−フロップ回路１２１２は、前記起動信号を受信して、インジケータライトの点滅制御又は前記インジケータライトの色彩変更により前記第１ＬＥＤ照明装置が前記仮マスターライトであるか否かを示すことができる。
【００６９】
具体的には、前記第１ＬＥＤ照明装置に対応する前記仮マスターライト作動スケジュールは前記タイマー１２１１において設定することができる。もしＬＥＤ照明装置の前記作動時間が開始すると、前記タイマー１２１１は起動信号を前記フリップ−フロップ回路１２１２に送信することができる。前記フリップ−フロップ回路１２１２は前記起動信号を受信して、前記第１ＬＥＤ照明装置が前記仮マスターライトであるか否かを示すことができる。前記フリップ−フロップ回路１２１２は、インジケータライトの点滅及びインジケータライトの色彩変更の制御により、前記第１ＬＥＤ照明装置が前記マスターライトであるか否かを示すことができる。前記フリップ−フロップ回路１２１２は照明制御装置であり得る。例えば、前記第１ＬＥＤ照明装置が前記仮マスターライトとして作動していないとき、前記照明制御装置は緑色の光を提示することができ、前記照明制御装置が前記第１ＬＥＤ照明装置が前記仮マスターライトとして機能していることを示す前記起動信号を受信するとき、前記照明制御装置は赤色の光を提示することができる。選択的に、前記第１ＬＥＤ照明装置が前記仮マスターライトとして機能していないとき、前記照明制御装置は如何なる光も点灯しないことができ、前記照明制御装置が前記第１ＬＥＤ照明装置が前記仮マスターライトとして機能しているとき、前記照明制御装置は点滅光を提示することができる。
【００７０】
１つの態様において、前記タイマーを介して各ＬＥＤ照明装置に対応する前記仮マスターライト作動スケジュールを設定することにより、各ＬＥＤ照明装置は特定のスケジュールにしたがって前記仮マスターライトとしてローテーションして作動することができる。したがって、前記作動負荷はよりバランスをとって配置／処理することができる。前記ＬＥＤ照明装置により使用される資源及び前記ＬＥＤ照明装置の使用は、より統一的に配置することができる（例えば、よりバランスをとって）。
【００７１】
図６は、本願開示により提供される第１ＬＥＤ照明装置のもう１つの例の構造を表わす。図２〜４に示される前記第１ＬＥＤ照明装置に基づき、前記第１検知ユニット１２１の構造は図６に具体的に示すことができる。図６は、前記第１ＬＥＤ照明装置が前記仮マスターライトであるか否かを決定するための前記第１検知ユニット１２１各部品間の配置を表わす。前記第１検知ユニットは第２メモリー１２１３及び第３比較回路１２１４を含むことができる。前記第３比較回路１２１４は前記第２メモリー１２１３及び前記第２無線通信モジュール１４に電気的に接続することができる。
【００７２】
前記第２メモリー１２１３は、前記無線ネットワークにおける全ての前記ＬＥＤ照明装置のＭＡＣ（メディア・アクセス制御）アドレスを保存するために用いることができる。
【００７３】
前記第３比較回路１２１４は、前記第１ＬＥＤ照明装置のＭＡＣアドレスが最大値を持つか否かを検知するために全ての前記ＬＥＤ照明装置のＭＡＣアドレスを比較することができる。前記第３比較回路１２１４は、もし前記第１ＬＥＤ照明装置のＭＡＣアドレスが最大値をもつなら、前記第１ＬＥＤ照明装置が前記仮マスターライトであると決定することができる。
【００７４】
具体的には、前記第３比較回路１２１４は、前記第２メモリー１２１３に保存される全ての前記ＬＥＤ照明装置のＭＡＣアドレスを比較することができる。当該比較により、もし前記第３比較回路１２１４が前記第１ＬＥＤ照明装置のＭＡＣアドレスが最大値をもつと検知するなら、前記第３比較回路１２１４は前記第１ＬＥＤ照明装置が前記仮マスターライトであると決定することができ、もし前記第３比較回路１２１４が前記第１ＬＥＤ照明装置のＭＡＣアドレスが最大値をもたないことを検知するなら、前記第３比較回路１２１４は前記第１ＬＥＤ照明装置が前記仮マスターライトとして機能しないと決定することができる。
【００７５】
１つの態様において、前記第２メモリー１２１３に保存される全ての前記ＬＥＤ照明装置のＭＡＣアドレスを比較するために前記第３比較回路１２１４を用いることにより、前記第１ＬＥＤ照明装置のＭＡＣアドレスが最大値を持つか否かを決定することができる。したがって、前記第１ＬＥＤ照明装置が前記仮マスターライトとして機能することができるか否かを決定することができる。しばしばＬＥＤ照明装置のＭＡＣアドレスは変更しないままである。すなわち、如何なる新規の光も前記無線ネットワークに加わらず、及び如何なる現在のライトも機能不全（malfunctioning）ではないとき、前記ＭＡＣアドレスに対応するＬＥＤ照明装置はしばしば同じままである。したがって、前記仮マスターライトは特定の時間間隔内で変化しないままでいることができる。前記第１マスターライトが決定された後、前記仮マスターライトはそれぞれの前記ＬＥＤ照明装置により検知される信号強度を取得することができ、当該信号強度を保存することができる（例えば、前記第２メモリー１２１３内に）。必要なときはいつでも、前記仮マスターライトはローカルメモリー（すなわち、前記第２メモリー１２１３）から前記情報を直接読み込むことができる。当該処理効率は改善することができる。
【００７６】
さらに、前記第２無線通信モジュール１４は、前記無線ネットワークに加わる新規の第２ＬＥＤ照明装置により送信される参加告知ブロードキャスト・メッセージ（joining-notifying broadcast message）受信することができる。前記第２無線通信モジュール１４は、マスターライト選択ブロードキャスト・メッセージを、当該マスターライト選択ブロードキャスト・メッセージに基づき前記ＬＥＤ照明装置を基礎とする無線ネットワークにおける全ての前記第２ＬＥＤ照明装置に送信することができる。
【００７７】
具体的には、新規の第２ＬＥＤ照明装置が前記無線ネットワークに加わるとき、前記新規の第２ＬＥＤ照明装置は前記無線ネットワークにおける全ての前記ＬＥＤ照明装置に参加告知ブロードキャスト・メッセージを送信することができる。前記第１ＬＥＤ照明装置は前記第２無線通信モジュール１４を介して前記参加告知ブロードキャスト・メッセージを受信することができる。すなわち、前記無線ネットワークにおけるＬＥＤ照明装置の全数は変化していることがあり得る。前記新規の第２ＬＥＤ照明装置により検知される前記無線ルーターの信号強度が最大値を持ち得る可能性があるため、前記マスターライトは、最強／最大の信号強度をもつ前記ＬＥＤ照明装置が前記無線ルーターに接続され、及び前記マスターライトとして機能することを確保するため再び選択される必要である可能性があり、全ての前記その他のＬＥＤ照明装置（すなわち、前記マスターライトを除く前記ＬＥＤ照明装置）はスレーブライトとして前記マスターライトに接続される。したがって、前記第２無線通信モジュール１４は、前記参加告知ブロードキャスト・メッセージに基づきマスターライト選択ブロードキャスト・メッセージを前記無線ネットワークにおける全ての前記第２ＬＥＤ照明装置に送信することができる。上述のプロセスにより、前記マスターライトを前記無線ネットワークにおける前記ＬＥＤ照明装置の数にしたがってダイナミックに調節することができる。
【００７８】
図７は、本願開示により提供される第１ＬＥＤ照明装置のもう１つの例の構造を表わす。図１〜６に示される前記第１ＬＥＤ照明装置に基づき、前記第１ＬＥＤ照明装置は、さらに図７における機能不全追跡モジュール（malfunctioning monitoring module）を含むことができる。
【００７９】
前記機能不全追跡モジュール１５は、前記第１無線通信モジュール１３及び前記第２無線通信モジュール１４に電気的に接続することができる。
【００８０】
前記第１無線通信モジュール１３は、前記無線ルーターに接続された後、予め決定される間隔内に前記無線ルーターに第１検知リクエストを送信することができる。また、前記第１無線通信モジュール１３は前記無線ルーターにより送信される第１フィードバック信号を受信することもできる。
【００８１】
前記機能不全追跡モジュール１５は、前記第１無線通信モジュール１３が前記予め決定される間隔内に前記第１検知リクエストを送信したか否か、及び／又は前記第１無線通信モジュール１３が前記無線ルーターにより送信される前記第１フィードバック信号を受信したか否かを追跡することができる。もし、前記機能不全追跡モジュール１５が、前記第１無線通信モジュール１３が前記予め決定される間隔内に前記第１検知リクエストを送信しなかった、及び／又は前記第１無線通信モジュール１３が前記無線ルーターにより送信される前記第１フィードバック信号を受信しなかったことを検知すると、前記機能不全追跡モジュール１５は第１マスターライト選択起動信号（master-light-selecting-triggering signal）を前記第２無線通信モジュール１４に送信することができる。
【００８２】
前記第２無線通信モジュール１４は前記第１マスターライト選択起動信号を受信することができ、及びマスターライト選択ブロードキャスト・メッセージを前記第１マスターライト選択起動信号に基づき全ての前記第２ＬＥＤ照明装置に送信することができる。前記マスターライト選択ブロードキャスト・メッセージは前記第１ＬＥＤ照明装置の機能不全情報を含むことができる。前記第１ＬＥＤ照明装置が前記機能不全から回復する（recovers）とき、前記機能不全追跡モジュール１５は前記回復を検知して対応する情報を前記第２無線通信モジュール１４に送信することができる。前記第２無線通信モジュール１４はマスターライト選択ブロードキャスト・メッセージを全ての前記第２ＬＥＤ照明装置に送信することができ、ここで、前記マスターライト選択ブロードキャスト・メッセージは前記第１ＬＥＤ照明装置の前記回復情報を含むことができる。
【００８３】
１つの態様において、前記第１ＬＥＤ照明装置が前記マスターライトとして前記無線ルーターとの接続を形成後、前記機能不全追跡モジュール１５は前記第１無線通信モジュール１３と前記無線ルーターとの間の接続／リンクが適切に機能するか否かを追跡することができる。もし、前記接続／リンクが機能不全であるなら、前記遠隔サーバーは前記無線ルーターを介して前記第１ＬＥＤ照明装置を制御することができず、及び前記無線ネットワークにおける前記第２ＬＥＤ照明装置は前記マスターライトを介して前記無線ルーターと通信することができない。すなわち、前記第２ＬＥＤ照明装置は前記遠隔サーバーにより集中化し、制御することができない。したがって、前記マスターライトが再度選択される必要がある可能性があり、現在のマスターライトとして機能している前記第１ＬＥＤ照明装置は、前記機能不全から回復前に前記マスターライトとしてはもはや機能することができない。言い換えれば、前記無線ネットワークにおけるＬＥＤ照明装置の全数は減少する。前記マスターライトとして機能している前記ＬＥＤ照明装置は、前記ネットワークにおける前記全てのＬＥＤ照明装置の変動する全数にしたがってダイナミックに調節することができる。前記遠隔サーバーは改善された安定性をもって前記ＬＥＤ照明装置を制御することができる。
【００８４】
さらに、全ての前記第２ＬＥＤ照明装置に接続後、前記第２無線通信モジュール１４は、また、第２検知リクエストを予め決定された間隔内に全ての前記第２ＬＥＤ照明装置に送信することもできる。前記第２無線通信モジュール１４は、全ての前記第２ＬＥＤ照明装置により送信される第２検知フィードバック信号を受信することができる。
【００８５】
前記機能不全追跡モジュール１５は、前記第２無線通信モジュール１４が前記予め決定された間隔内に前記第２検知リクエストを送信したか否か、及び／又は前記第２検知フィードバック信号を受信したか否かを追跡することができる。もし、前記第２無線通信モジュール１４が前記予め決定された間隔内に前記第２検知リクエストを送信しなかった、及び／又は前記第２検知フィードバック信号を受信しなかったなら、前記機能不全追跡モジュール１５は第２マスターライト選択起動信号を前記第１無線通信モジュール１３に送信することができる。
【００８６】
前記第１無線通信モジュール１３は前記第２マスターライト選択起動信号を受信して、マスターライト選択ブロードキャスト・メッセージを前記第２マスターライト選択起動信号に基づき全ての前記第２ＬＥＤ照明装置に送信することができる。前記マスターライト選択ブロードキャスト・メッセージは前記第１ＬＥＤ照明装置の機能不全情報を含むことができる。前記第１無線通信モジュール１３が前記機能不全追跡モジュール１５を介して前記機能不全から前記第１ＬＥＤ照明装置の回復を検知後、前記第１無線通信モジュール１３はマスターライト選択ブロードキャスト・メッセージを全ての前記第２ＬＥＤ照明装置に送信することができる。前記マスターライト選択ブロードキャスト・メッセージは前記第１ＬＥＤ照明装置の回復情報を含むことができる。
【００８７】
１つの態様において、前記第１ＬＥＤ照明装置（すなわち、前記マスターライトとして機能している）が前記無線ネットワークにおける全ての前記第２ＬＥＤ照明装置との接続を形成後、前記機能不全追跡モジュール１５は、前記第２無線通信モジュール１４と全ての前記第２ＬＥＤ照明装置との間の接続／リンクが適切に機能するか否かを追跡することができる。もし、前記接続／リンクが機能不全であるなら、前記第２ＬＥＤ照明装置は前記マスターライトを介して前記無線ルーターと間接的に通信することができない可能性がある。すなわち、前記第２ＬＥＤ照明装置は前記遠隔サーバーにより集中化して制御することができない。したがって、前記マスターライトは再度選択される必要がある可能性があり、前記現在のマスターライトとして機能している前記第１ＬＥＤ照明装置は、前記機能不全から回復前に前記マスターライトとしてもはや機能することができない。言い換えれば、前記無線ネットワークにおける前記ＬＥＤ照明装置の全数は減少する。前記マスターライトとして機能している前記ＬＥＤ照明装置は、前記無線ネットワークにおける前記ＬＥＤ照明装置の変動する数にしたがってダイナミックに調節することができる。前記遠隔サーバーは改善された安定性をもって前記ＬＥＤ照明装置を制御することができる。
【００８８】
図８は、本願開示により提供される第２ＬＥＤ照明装置の１つの例の構造を表わす。図８に示される前記第２ＬＥＤ照明装置は、図１に示される前記第１ＬＥＤ照明装置と作動のために連携することができる。前記第２ＬＥＤ照明装置は、第２検知モジュール２１、第２処理モジュール２２、及び第３無線通信モジュール２３を含むことができる。前記第３無線通信モジュール２３により、前記ＬＥＤ照明装置を基礎とする無線ネットワークにおいて前記第１ＬＥＤ照明装置と前記第２ＬＥＤ照明装置との間の通信が可能になる。前記ＬＥＤ照明装置を基礎とする無線ネットワークは、前記無線ルーター、前記第１ＬＥＤ照明装置、及び前記少なくとも１つの第２ＬＥＤ照明装置を含むことができる。
【００８９】
前記第３無線通信モジュール２３は、前記第２検知モジュール２１及び前記第２処理モジュール２２と電気的に接続することができる。
【００９０】
前記第２検知モジュール２１は、前記第３無線通信モジュール２３が前記マスターライト選択ブロードキャスト・メッセージを受信後、前記第３無線通信モジュール２３により送信される検知リクエストを受信することができる。前記第２検知モジュール２１は前記検知リクエストに基づき前記無線ルーターの信号強度を検知することができる。
【００９１】
前記第２処理モジュール２２が、前記第２検知モジュール２１により検知される前記無線ルーターの信号強度が前記無線ネットワークにおける全ての前記ＬＥＤ照明装置により検知される信号強度の中で最大値をもたないことを検知するとき、前記第２処理モジュール２２はマスターライト取得信号を前記第３無線通信モジュール２３に送信することができる。
【００９２】
前記第３無線通信モジュール２３は前記マスターライト取得信号を受信して、前記第１ＬＥＤ照明装置により送信されるマスターライト告知ブロードキャスト・メッセージを受信することができ、ここで、前記マスターライト告知ブロードキャスト・メッセージは前記マスターライトとして機能している前記第１ＬＥＤ照明装置の識別情報を含むことができる。前記ブロードキャスト・メッセージに含まれる識別情報に基づき、前記第３無線通信モジュール２３は前記第１ＬＥＤ照明装置との接続を形成することができる。
【００９３】
前記第２検知モジュール２１は信号強度検知器であり得る。前記第３無線通信モジュールは無線メッシュ・ネットワーク用の通信プロトコルに基づく通信モジュールであり得る。複数の方法を前記第２処理モジュール２２の機能実現のために用いることができ、各方法は前記機能を得るために異なる構造を採用することができることに留意すべきである。前記第２処理モジュール２２の具体的な構造は開示態様に記載される。
【００９４】
前記第２検知モジュール２１、前記第２処理モジュール２２、及び前記第３無線通信モジュール２３は、それぞれ電源回路（すなわち、それぞれのモジュールに収納される電源供給回路）有することができ、及び／又は前記第２ＬＥＤ照明装置の照明制御装置に電気的に接続することができることに留意すべきである。また、前記照明制御装置は上述のそれぞれのモジュール用の電力を提供することもできる。電力供給の選択は異なる応用によって決定することができ、本願開示の態様に制限されない。
【００９５】
具体的には、前記第３無線通信モジュール２３が前記無線ネットワークにおけるもう１つの装置により送信されるマスターライト選択ブロードキャスト・メッセージを受信するとき、前記第３無線通信モジュール２３は検知リクエストを前記第２検知モジュール２１に送信することができる。前記マスターライト選択ブロードキャスト・メッセージを送信する装置は、前記ＬＥＤ照明装置を基礎とする無線ネットワークの主要制御装置であり得、及び／又は前記無線ネットワークにおける１つのＬＥＤ照明装置であり得る。例えば、前記主要制御装置は、マスターライト選択ブロードキャスト・メッセージを予め決定されたサイクル／間隔にしたがって前記無線ネットワークにおける前記ＬＥＤ照明装置に送信することができる。前記ブロードキャスト・メッセージを送信する前記ＬＥＤ照明装置は、現在のマスターライト（すなわち、開示される前記第１ＬＥＤ照明装置の構造及び機能を有する）であり得、又は前記マスターライトに接続されるスレーブライト（すなわち、開示される前記第２ＬＥＤ照明装置の構造及び機能を有する）であり得る。
【００９６】
前記マスターライトとして機能している前記ＬＥＤ照明装置が前記無線ルーター及び／又は前記現在の無線ネットワークから接続解除されるとき、前記無線ネットワークにおける全ての前記ＬＥＤ照明装置は前記無線ネットワークに接続することができない。前記マスターライトはマスターライト選択ブロードキャスト・メッセージを前記無線ネットワークにおける全ての前記ＬＥＤ照明装置に送信することができる。スレーブライトとして機能している前記ＬＥＤ照明装置が前記現在のマスターライトから接続解除されるとき、前記マスターライトは、またマスターライト選択ブロードキャスト・メッセージを前記無線ネットワークにおける全ての前記ＬＥＤ照明装置に送信することができる。照明装置（すなわち、前記マスターライト又は前記スレーブライトとして機能している）及び／又は前記主要制御装置が、新規の制御装置が前記無線ネットワークに加わることを検知するとき、前記照明装置及び／又は前記主要制御装置もまた、マスターライト選択ブロードキャスト・メッセージを前記無線ネットワークにおける全ての前記ＬＥＤ照明装置に送信することができる。したがって、前記無線ネットワークにおける全ての前記ＬＥＤ照明装置は、前記選択されたマスターライトが前記無線ルーターに接続され、及び全ての前記その他のＬＥＤ照明装置が前記マスターライトに接続されるように、前記マスターライト選択ブロードキャスト・メッセージにしたがって前記マスターライトを選択することができる。
【００９７】
前記第２検知モジュール２１は信号強度検知器であり得る。前記第２検知モジュール２１が前記第３無線通信モジュール２３により送信される前記検知リクエストを受信するとき、前記第２検知モジュール２１は前記検知リクエストに基づき前記無線ルーターの信号強度を検知することができる。前記第２処理モジュール２２が、前記第２検知モジュール２１により検知される信号強度が前記無線ネットワークにおける全ての前記ＬＥＤ照明装置により検知される信号強度の中で最大値をもたないことを検知するとき、前記第２処理モジュール２２は前記第２ＬＥＤ照明装置が前記無線ネットワークにおける前記マスターライトでないことを決定することができる。前記第２処理モジュール２２は前記マスターライト取得信号を前記第３無線通信モジュール２３に送信することができる。前記マスターライト取得信号を受信後、前記第３無線通信モジュール２３は前記マスターライトにより送信される前記マスターライト告知ブロードキャスト・メッセージを待つことができる。前記マスターライトにより送信される前記マスターライト告知ブロードキャスト・メッセージを受信後、前記第３無線通信モジュール２３は前記第１ＬＥＤ照明装置が前記マスターライトであることを決定するために前記ブロードキャスト・メッセージを解析して前記第１ＬＥＤ照明装置の識別情報を取得することができる。すなわち、前記第１ＬＥＤ照明装置により検知される信号強度が前記無線ネットワークにおいて全ての前記ＬＥＤ照明装置により検知される信号強度の中で最大値を有する。前記第３無線通信モジュール２３は前記第１ＬＥＤ照明装置の識別情報にしたがって前記第１ＬＥＤ照明装置との接続を形成することができる。したがって、上述の前記第２ＬＥＤ照明装置がスレーブライトとして機能することができ、及び前記第１ＬＥＤ照明装置を介して前記無線ルーターと間接的に通信することができる。言い換えれば、前記無線ネットワークにおける上述の前記第２ＬＥＤ照明装置及びその他の第２ＬＥＤ照明装置は、前記遠隔サーバーにより間接的に集中化して制御することができる。
【００９８】
１つの態様において、前記第２検知モジュール２１、前記第２処理モジュール２２、及び前記第３無線通信モジュール２３は、前記ＬＥＤ照明装置を基礎とする無線ネットワークにおいて、第２ＬＥＤ照明装置に統合することができる。前記第２処理モジュール２２が、前記第２検知モジュール２１により検知される前記無線ルーターの信号強度が全ての前記ＬＥＤ照明装置により検知される信号強度の中で最大値をもたないことを検知するなら、前記第２処理モジュール２２は前記第３無線通信モジュール２３を介して前記マスターライトから前記マスターライト選択ブロードキャスト・メッセージを受信して、前記第１ＬＥＤ照明装置（すなわち、前記マスターライトとして機能している）との接続を形成することができる。したがって、スレーブライトとして、前記第２ＬＥＤ照明装置は前記第１ＬＥＤ照明装置を介して前記無線ルーターと間接的に通信することができる。前記無線ネットワークにおける前記第２ＬＥＤ照明装置及びその他の第２ＬＥＤ照明装置は前記第１ＬＥＤ照明装置を介して（すなわち、前記マスターライトとして機能している）集中化して、前記遠隔サーバーにより間接的に制御することができる。上述の配置／接続（arrangement/connection）により、前記無線ネットワークにおける全ての前記ＬＥＤ照明装置が前記遠隔サーバーにより制御される最強信号強度をもつ前記マスターライトを介して前記無線ルーターに接続される。したがって、より少ないネットワーク資源だけが必要とされ、前記無線ネットワークにおける前記通信は改善された安定性をもつことができる。
【００９９】
図９は、本願開示により提供される第２ＬＥＤ照明装置のもう１つの例の構造を表わす。図８に示される構造に基づき、図９に示される前記第２処理モジュールの構造を特定することができる。図９は、前記第２処理モジュール２２の機能を実現するための（すなわち、前記第２処理モジュール２２により検知される信号強度が前記無線ネットワークにおける全ての前記ＬＥＤ照明装置により検知される信号強度の中で最大値をもたないことを如何に取得するか）前記第２処理モジュール２２とその他の部分／モジュールとの間の連携を表わす。前記第２処理モジュール２２は前記第２検知ユニット２２１及び第４比較回路２２２を含むことができる。
【０１００】
前記第３無線通信モジュール２３は、前記第２検知ユニット２２１及第４比較回路２２２と電気的に接続することができる。前記第４比較回路２２２及び前記第２検知モジュール２１は電気的に接続することができる。
【０１０１】
前記第２検知ユニット２２１は、前記第３無線通信モジュール２３が前記マスターライト選択ブロードキャスト・メッセージを取得後、前記第２ＬＥＤ照明装置が前記仮マスターライトとして機能しているか否かを決定することができる。もし前記第２ＬＥＤ照明装置が前記仮マスターライトとして機能しているなら、前記第２検知ユニット２２１は仮マスターライト開始信号を前記第３無線通信モジュール２３に送信することができる。
【０１０２】
前記第３無線通信モジュール２３は、前記仮マスターライト開始信号に基づき前記ＬＥＤ照明装置を基礎とする無線ネットワークにおいて仮マスターライト告知ブロードキャスト・メッセージを前記その他のＬＥＤ照明装置に送信することができる。前記仮マスターライト告知ブロードキャスト・メッセージは前記第２ＬＥＤ照明装置の識別情報を含むことができる。また、前記第３無線通信モジュール２３は前記無線ネットワークにおけるその他のＬＥＤ照明装置により検知される前記無線ルーターの信号強度を受信して、当該信号強度を前記第４比較回路２２２に送信することもできる。
【０１０３】
前記第４比較回路２２２は、前記その他のＬＥＤ照明装置により検知される信号強度を前記第２検知モジュール２１により検知される信号強度と比較することができる。もし前記第４比較回路２２２が、前記第２検知モジュール２１により検知される信号強度は全ての前記ＬＥＤ照明装置により検知される信号強度の中で最大値をもたないことを検知するなら、前記第４比較回路２２２はマスターライト取得信号を前記第３無線通信モジュール２３に送信することができる。
【０１０４】
複数の方法により、前記第２検知ユニット２２１の機能を実現することができ、それぞれの方法が異なる構造／配置を採用することができることに留意すべきである。例えば、前記第２検知ユニット２２１の特定の構造は図５及び６に示される構造を参照することができ、ここでは繰り返し述べない。また、説明の目的のために、前記第１ＬＥＤ照明装置（すなわち、前記マスターライトとして機能している）及び第２ＬＥＤ照明装置（すなわち、前記スレーブライトとして機能している）が作動のため連携することができることも留意すべきである。したがって、前記第２検知ユニット２２１の構造は前記第１検知ユニット１２１の構造と一致することができる。すなわち、前記第２検知ユニット２２１を用いる前記仮マスターライトを決定する方法は、前記第１検知ユニット１２１を用いる前記仮マスターライトを決定する方法と一致することができる。前記第４比較回路２２２はコンパレータ・チップであり得る。
【０１０５】
１つの態様において、図８に示される構造に基づき、前記第２検知ユニット２２１及び前記第４比較回路２２２は、図９に示される構造における前記第２処理モジュールに統合することができる。前記第２検知ユニット２２１が、前記第２ＬＥＤ照明装置は前記仮マスターライトとして機能していると決定後、前記第４比較回路２２２は前記第２ＬＥＤ照明装置により検知される前記無線ルーターの信号強度を前記第２検知モジュール２１から取得することができる。前記第４比較回路２２２は、前記その他のＬＥＤ照明装置により検知される前記無線ルーターの信号強度を取得するために前記第３無線通信モジュール２３を介して前記無線ネットワークにおけるその他のＬＥＤ照明装置と通信／交信することができる。さらに、前記第４比較回路２２２は、前記第２ＬＥＤ照明装置により検知される信号強度が全ての前記ＬＥＤ照明装置により検知される信号強度の中で最大値をもたないことを決定するため、全ての前記ＬＥＤ照明装置により検知される信号強度を比較することができる。前記第４比較回路２２２は前記第２ＬＥＤ照明装置が前記仮マスターライトであると決定することができる。上述の配置により、前記マスターライトを決定するために前記ネットワークにおける複数のＬＥＤ照明装置の中の同時の連携を避けることができる。処理のためのより少ない資源だけが必要とされ、処理効率を改善することができる。
【０１０６】
図１０は、本願開示により提供される第２ＬＥＤ照明装置のもう１つの例の構造を表わす。図９に示される構造に基づき、図１０に示される前記第２ＬＥＤ照明装置における前記第２処理モジュール２２は、さらに第３メモリー２２３を含むことができる。当該第３メモリー２２３は前記第４比較回路２２２に電気的に接続することができる。
【０１０７】
前記第３メモリー２２３は、前記仮マスターライトとして機能している前記第２ＬＥＤ照明装置が前記マスターライト選択の過程にあるとき、前記第２ＬＥＤ照明装置により取得される全ての前記ＬＥＤ照明装置により検知される前記無線ルーターの信号強度を保存するために用いることができる。前記第３メモリー２２３の作動原理及び技術的効果の詳細は、図３に表わされる第１メモリー１２３の作動原理及び技術的効果を参照することができ、ここで繰り返し述べることはしない。
【０１０８】
図１１は、本願開示により提供される第２ＬＥＤ照明装置のもう１つの例の構造を表わす。図１０に示される構造に基づき、図１１に示される前記第２ＬＥＤ照明装置の前記第２処理モジュール２２は、さらに第５比較回路２２４を含むことができる。
【０１０９】
前記第５比較回路２２４は、前記第３無線通信モジュール２３及び前記第３メモリー２２３に電気的に接続することができる。
【０１１０】
前記第２検知ユニット２２１は、前記第３無線通信モジュール２３がマスターライト選択ブロードキャスト・メッセージを受信後に、前記第２ＬＥＤ照明装置が前記仮マスターライトとして機能しているか否かを決定することができる。もし、前記第２ＬＥＤ照明装置が前記仮マスターライトとして機能していないなら、前記第２検知ユニット２２１は仮マスターライト取得信号を前記第３無線通信モジュール２３に送信することができる。
【０１１１】
前記第３無線通信モジュール２３は前記仮マスターライト取得信号を受信して、前記仮マスターライト取得信号に基づき前記第２検知モジュール２１により検知される前記無線ルーターの信号強度を取得することができる。前記無線ネットワークにおけるもう１つのＬＥＤ照明装置により送信される仮マスターライト告知ブロードキャスト・メッセージ（すなわち、前記仮マスターライトの識別情報を含む）を受信するとき、前記第３無線通信モジュール２３は、前記仮マスターライトの識別情報に基づき前記第２検知モジュール２１により検知される信号強度を前記仮マスターライトに送信することができる。また、前記第３無線通信モジュール２３は前記仮マスターライトにより送信される前記マスターライト告知ブロードキャスト・メッセージ（すなわち、前記マスターライトの識別情報を含む）を受信して、前記仮マスターライトの識別情報を前記第５比較回路２２４に送信することもできる。
【０１１２】
前記第５比較回路２２４が、前記第３メモリー２２３に保存された前記第２ＬＥＤ照明装置の識別情報と異なる前記マスターライトの取得された識別情報を検知するとき、前記第５比較回路２２４はマスターライト取得信号を前記第３無線通信モジュール２３に送信することができる。
【０１１３】
１つの態様において、前記第２検知ユニット２２１が、前記第２ＬＥＤ照明装置は前記仮マスターライトとして機能していないと決定後、前記第３無線通信モジュール２３は前記第２検知モジュール２１から前記第２ＬＥＤ照明装置により検知される無線ルーターの信号強度を取得して、当該取得された信号強度を前記仮マスターライト（すなわち、前記第１ＬＥＤ照明装置又はもう１つの第２ＬＥＤ照明装置）に送信することができる。前記仮マスターライトとして機能しているＬＥＤ照明装置（すなわち、前記第１ＬＥＤ照明装置又はもう１つの第２ＬＥＤ照明装置）は、全ての前記ＬＥＤ照明装置により検知される無線ルーターの信号強度を比較して、前記第１ＬＥＤ照明装置により検知される信号強度が最大値をもつことを決定することができる。したがって、前記仮マスターライトとして機能している前記無線ネットワークにおける前記ＬＥＤ照明装置の１つを前記マスターライトを選択するために用いることができる。上述のプロセスにより、前記マスターライト決定用の複数のＬＥＤ照明装置の中での同時の処理及び連携を避けることができる。プロセスのためのより少ない資源だけが必要とされ、処理効率を改善することができる。
【０１１４】
図１２は、本願開示により提供される前記ＬＥＤ照明装置を基礎とする無線ネットワークの構造を表わす。図１２に示されるように、前記ＬＥＤ照明装置を基礎とする無線ネットワーク（すなわち、前記ＬＥＤ照明装置に基づく前記無線ネットワーク）は、無線ルーター３、第１ＬＥＤ照明装置１、及び少なくとも１つの第２ＬＥＤ照明装置２を含むことができる。
【０１１５】
前記第１ＬＥＤ照明装置１は、前記第１検知モジュール１１、前記第１処理モジュール１２、前記第１無線通信モジュール１３、及び前記第２無線通信モジュール１４を含むことができる。前記第１無線通信モジュール１３は、前記第１ＬＥＤ照明装置１と前記無線ルーター３との間の通信を可能にすることができる。前記第２無線通信モジュール１４は、前記第１ＬＥＤ照明装置１と１又は複数の前記第２ＬＥＤ照明装置２との間の通信を可能にすることができる。前記第２無線通信モジュール１４は、前記第１無線通信モジュール１３及び前記第１検知モジュール１１に電気的に接続することができる。前記第１無線通信モジュール１３は前記第１処理モジュール１２に電気的に接続することができる。
【０１１６】
前記第２ＬＥＤ照明装置２は、前記第２検知モジュール２１、前記第２処理モジュール２２、及び前記第３無線通信モジュール２３を含むことができる。前記第３無線通信モジュール２３は、前記第２ＬＥＤ照明装置２と前記第１ＬＥＤ照明装置１との間の通信を可能にすることができる。前記第３無線通信モジュール２３は、前記第２検知モジュール２１及び前記第２処理モジュール２２に電気的に接続することができる。
【０１１７】
前記第１検知モジュール１１は、前記第２無線通信モジュール１４がマスターライト選択ブロードキャスト・メッセージを受信後、前記第２無線通信モジュール１４により送信される検知リクエストを受信することができる。前記第１検知モジュール１１は前記マスターライト選択ブロードキャスト・メッセージに基づき前記無線ルーター３の信号強度を検知することができる。
【０１１８】
前記第１処理モジュール１２は、もし前記第１処理モジュール１２が、前記第１検知モジュール１１により検知される前記無線ルーター３の信号強度は前記無線ネットワークにおける全ての前記ＬＥＤ照明装置により検知される信号強度の中で最大値をもつと検知するなら、開始信号を前記第１無線通信モジュール１３に送信することができる。
【０１１９】
前記第１無線通信モジュール１３は前記開始信号を受信することができ、及び前記開始信号に基づき前記無線ルーター３との接続を形成することができる。また、前記第１無線通信モジュール１３はＬＥＤネットワーク形成リクエスト（LED network-forming request）を全ての前記第２無線通信モジュール１４に送信することもできる。
【０１２０】
前記第２無線通信モジュール１４は前記ＬＥＤネットワーク形成リクエストを受信して、前記第１ＬＥＤ照明装置の識別情報を含むマスターライト告知ブロードキャスト・メッセージを前記ＬＥＤネットワーク形成リクエストに基づき全ての前記第２ＬＥＤ照明装置に送信することができる。前記第２無線通信モジュール１４は全ての前記第２ＬＥＤ照明装置との接続を形成することができる。
【０１２１】
前記第２検知モジュール２１は、前記第３無線通信モジュール２３がマスターライト選択ブロードキャスト・メッセージを受信後、前記第３無線通信モジュール２３により送信される検知リクエストを受信することができる。前記第２検知モジュール２１は前記検知リクエストに基づき前記無線ルーター３の信号強度を検知することができる。
【０１２２】
前記第２処理モジュール２２は、もし、前記第２処理モジュール２２が、前記第２検知モジュール２１により検知される前記無線ルーター３の信号強度は前記無線ネットワークにおける全ての前記ＬＥＤ照明装置により検知される信号強度の中で最大値をもたないことを検知するなら、マスターライト取得信号を前記第３無線通信モジュール２３に送信することができる。
【０１２３】
前記第３無線通信モジュール２３は、前記マスターライト取得信号を受信して、前記第１ＬＥＤ照明装置１により送信される前記マスターライト告知ブロードキャスト・メッセージ（すなわち、前記第１ＬＥＤ照明装置の識別情報を含む）を受信することができる。前記第３無線通信モジュール２３は前記識別情報に基づき前記第１ＬＥＤ照明装置との接続を形成することができる。
【０１２４】
前記ＬＥＤ照明装置を基礎とする無線ネットワークは、図１に示される前記第１ＬＥＤ照明装置及び図８に示される前記第２ＬＥＤ照明装置を含むことができる。図１に示される前記第１ＬＥＤ照明装置及び図８に示される前記第２ＬＥＤ照明装置の作動原理及び技術的効果は互いに類似しており、ここで繰り返し記述しない。
【０１２５】
さらに、前記第１ＬＥＤ照明装置は、図２〜７に示される構造のいずれか１つをもつこともでき、前記第２ＬＥＤ照明装置２は、図８〜１１に示される構造のいずれか１つをもつこともできる。前記作動原理及び技術的効果は互いに類似しており、ここで繰り返し記述しない。
【０１２６】
図１３は、本願開示により提供される前記ＬＥＤ照明装置を基礎とする無線ネットワークを制御するための方法のプロセスを表わす。図１３に示されるように、前記方法は前記ＬＥＤ照明装置を基礎とする無線ネットワークにおける前記第１ＬＥＤ照明装置に適用することができる。前記無線ネットワークは、前記無線ルーター、前記第１ＬＥＤ照明装置、及び少なくとも１つの第２ＬＥＤ照明装置を含むことができる。前記第１ＬＥＤ照明装置は、前記第１検知モジュール、前記第１処理モジュール、前記無線ルーターとの通信用の前記第１無線通信モジュール、及び前記第２ＬＥＤ照明装置との通信用の前記第２無線通信モジュールを含むことができる。
【０１２７】
前記方法はステップ１００から１０３を含むことができる。
【０１２８】
ステップ１００において、前記第１ＬＥＤ照明装置は、前記マスターライト選択ブロードキャスト・メッセージを受信後、前記無線ルーターの信号強度を検知することができる。
【０１２９】
ステップ１０１において、もし、前記第１ＬＥＤ照明装置が、前記第１ＬＥＤ照明装置により検知される前記無線ルーターの信号強度が前記無線ネットワークにおける全ての前記ＬＥＤ照明装置により検知される信号強度の中で最大値をもつことを検知するなら、前記第１ＬＥＤ照明装置は前記無線ルーターとの接続を形成することができる。
【０１３０】
ステップ１０２において、前記第１ＬＥＤ照明装置は、前記第１ＬＥＤ照明装置の識別情報を含むマスターライト告知ブロードキャスト・メッセージを全ての前記第２ＬＥＤ照明装置に送信することができる。
【０１３１】
ステップ１０３において、前記第２ＬＥＤ照明装置は前記マスターライト告知ブロードキャスト・メッセージを受信して、前記マスターライト告知ブロードキャスト・メッセージに含まれる識別情報に基づき前記第１ＬＥＤ照明装置との接続を形成することができる。
【０１３２】
説明を目的として、上述の方法は、図１に示される前記第１ＬＥＤ照明装置及び図８に示される前記第２ＬＥＤ照明装置を制御するために用いることができる。前記第１ＬＥＤ照明装置及び前記第２ＬＥＤ照明装置の作動原理及び技術的効果は互いに類似している。したがって、ここで詳細は省略する。
【０１３３】
さらに、上述の方法は、図２〜７に示される前記第１ＬＥＤ照明装置を制御するため、及び図９〜１１に示される前記第２ＬＥＤ照明装置を制御するために用いることもできる。具体的には、ステップ１０１は、さらに以下のステップを含むことができる。
【０１３４】
第一に、前記マスターライト選択ブロードキャスト・メッセージを受信するときに、前記第１ＬＥＤ照明装置は前記第１ＬＥＤ照明装置が前記仮マスターライトであるか否かを決定することができる。もし、前記第１ＬＥＤ照明装置が前記仮マスターライトであるなら、前記第１ＬＥＤ照明装置は仮マスターライト告知ブロードキャスト・メッセージを全ての前記第２ＬＥＤ照明装置に送信することができる。前記仮マスターライト告知ブロードキャスト・メッセージは前記第１ＬＥＤ照明装置の識別情報を含むことができる。
【０１３５】
さらに、前記第１ＬＥＤ照明装置は、全ての前記第２ＬＥＤ照明装置により検知される前記無線ルーターの信号強度を受信することができる。
【０１３６】
さらに、前記第１ＬＥＤ照明装置は、全ての前記第２ＬＥＤ照明装置により検知される信号強度を前記第１ＬＥＤ照明装置により検知される信号強度と比較することができる。もし、前記第１ＬＥＤ照明装置が、前記第１ＬＥＤ照明装置により検知される信号強度は全ての前記信号強度の中で最大値をもつことを検知するなら、前記第１ＬＥＤ照明装置は前記無線ルーターとの接続を形成することができる。
【０１３７】
ステップ１０１に続くステップは、さらに下記のステップを含むことができる。
【０１３８】
前記第１ＬＥＤ照明装置は、前記第１ＬＥＤ照明装置が前記マスターライト選択の過程にあるとき、全ての前記ＬＥＤ照明装置により検知され及び前記第１ＬＥＤ照明装置により取得される前記無線ルーターの信号強度を保存するために用いることができる。前記第１ＬＥＤ照明装置は、前記マスターライトの次の選択用の信号強度を提供するために、保存された前記無線ルーターの信号強度を用いることができる。
【０１３９】
さらに、ステップ１０１は次のステップを含むことができる。
【０１４０】
前記マスターライト選択ブロードキャスト・メッセージを受信するとき、前記第１ＬＥＤ照明装置は、前記第１ＬＥＤ照明装置が前記仮マスターライトとして機能しているか否かを決定することができる。もし、前記第１ＬＥＤ照明装置が前記仮マスターライトとして機能していないなら、前記第１ＬＥＤ照明装置が第２ＬＥＤ照明装置により送信される前記仮マスターライト告知ブロードキャスト・メッセージ（すなわち、前記第２ＬＥＤ照明装置の識別情報を含む）を受信するとき、前記第１ＬＥＤ照明装置は前記第１ＬＥＤ照明装置により検知される前記無線ルーターの信号強度を前記第２ＬＥＤ照明装置の識別情報にしたがって前記第２ＬＥＤ照明装置に送信することができる。
【０１４１】
前記第１ＬＥＤ照明装置は、前記第２ＬＥＤ照明装置により送信される前記マスターライト告知ブロードキャスト・メッセージ（すなわち、前記マスターライトの識別情報を含む）を受信することができる。前記第１ＬＥＤ照明装置は、前記マスターライトの識別情報を前記第１ＬＥＤ照明装置の前に保存された識別情報と比較することができる。もし、前記マスターライトの識別情報が前記第１ＬＥＤ照明装置の前記前に保存された識別情報と同一なら、前記第１ＬＥＤ照明装置は前記無線ルーターとの接続を形成することができる。
【０１４２】
説明的な目的として、上述の方法は、図２〜７に示される前記第１ＬＥＤ照明装置及び図９〜１１に示される前記第２ＬＥＤ照明装置の制御用に用いることができる。上述の前記第１ＬＥＤ照明装置のいずれか１つの作動原理及び技術的効果は類似であり得、上述の前記第２ＬＥＤ照明装置のいずれか１つの作動原理及び技術的効果は類似であり得る。したがって、詳細はここで繰り返し記述しない。
【０１４３】
本願開示はソフトウエア及び／又はハードウエアを介して実現することができることに留意すべきである。例えば、開示された装置は、装置特異的な集積回路（ASICs：application-specific integrated circuits）又はその他の適切な／類似のハードウエアを用いることにより実施することができる。特定の態様において、本願開示における前記ソフトウエア・プログラムは、前記機能／ステップを実現するために中央処理ユニット（CPU）を介して実行することができる。同様に、本願開示の前記ソフトウエア・プログラム（関連データ構造を含む）はコンピュータの読み取り可能な記録媒体に保存することができる。さらに、本願開示の特定ステップ及び／又は機能はハードウエアを介して実現することができる。例えば、処理装置は本願開示の機能／ステップに対応して実現するために特定の回路と連携することができる。
【０１４４】
本願開示の前記態様は単なる例示である。前記開示の態様へのその他の応用、利点、変更、修飾、又は等価物は、当該技術分野における当業者に明らかであり、本願開示の範囲内に包含されることを意図している。
【符号の説明】
【０１４５】
１１  第１検知モジュール
１２  第１処理モジュール
１３  第１無線通信モジュール
１４  第２無線通信モジュール
１２１  第１検知ユニット
１２２  第１比較回路
１２３  第１メモリー
１２４  第２比較回路
１２１２  フリップ−フロップ回路
１２１１  タイマー
１２１４  第３比較回路
１２１３  第２メモリー
１５  機能不全追跡モジュール
２１  第２検知モジュール
２２  第２処理モジュール
２３  第３無線通信モジュール
２２１  第２検知ユニット
２２２  第４比較回路
２２３  第３メモリー
２２４  第５比較回路
【図１】
0006318308.tif 000002
【図２】
0006318308.tif 000003
【図３】
0006318308.tif 000004
【図４】
0006318308.tif 000005
【図５】
0006318308.tif 000006
【図６】
0006318308.tif 000007
【図７】
0006318308.tif 000008
【図８】
0006318308.tif 000009
【図９】
0006318308.tif 000010
【図１０】
0006318308.tif 000011
【図１１】
0006318308.tif 000012
【図１２】
0006318308.tif 000013
【図１３】
0006318308.tif 000014